(57)【特許請求の範囲】
【請求項１】
ウエハ上でＸ軸方向及びＹ軸方向にマトリクス状に配置されたチップの良品と不良品を判定したウエハテスト結果に基づいて、Ｘ軸方向及びＹ軸方向での４方向又はそれに斜め４５度方向を加えた８方向での不良チップの連続性の確認を行ない、連続する不良チップは同じグループに属するように不良チップを不良グループに分別する不良チップ分別ステップと、
少なくとも良品チップを判定対象チップとし、各不良グループに対して、判定対象チップを、Ｘ軸方向及びＹ軸方向での４方向又はそれに斜め４５度方向を加えた８方向について対象の不良グループに属する不良チップが存在する方向の数に基づいて複数のチップ指標に分類する分類ステップと、を含む、ウエハにおける良品チップ分類方法。
【請求項２】
各不良グループについて、その不良グループに属する不良チップ数と予め設定された不良チップ数しきい値を比較し、不良チップ数が不良チップ数しきい値以上のときにその不良グループを集中不良分布と判定する集中不良分布判定ステップを含み、
前記分類ステップは、前記集中不良分布判定ステップで集中不良分布と判定された不良グループのみに対して判定対象チップをチップ指標に分類する請求項１に記載の良品チップ分類方法。
【請求項３】
前記集中不良分布判定ステップは、不良グループに属する不良チップの少なくとも１つがウエハ周辺チップから所定範囲内に位置している不良グループに対し、不良グループに属する不良チップの全部がウエハ周辺チップから所定範囲内に位置していない不良グループに対して用いる不良チップ数しきい値よりも小さい不良チップ数しきい値を用いる請求項２に記載の良品チップ分類方法。
【請求項４】
不良グループに属する全ての不良チップ及び近傍の良品チップを含む不良グループ近傍領域を設定する不良グループ近傍領域設定ステップを含み、
前記分類ステップは、前記不良グループ近傍領域設定ステップで設定された不良グループ近傍領域内の良品チップを判定対象チップとしてチップ指標に分類する請求項１、２又は３のいずれか一項に記載の良品チップ分類方法。
【請求項５】
前記不良グループ近傍領域設定ステップは、不良グループに属する全ての不良チップを少なくとも含む矩形領域を前記不良グループ近傍領域とする請求項４に記載の良品チップ分類方法。
【請求項６】
前記分類ステップで前記４方向とも対象の不良グループに属する不良チップが存在すると分類された判定対象チップである４方向不良チップに対して前記４方向について対象の不良グループに属する不良チップとの間に他の判定対象チップの存在及び他の４方向不良チップの存在を判定し、その集中不良分布に属する不良チップとの間に他の判定対象チップが存在しない又は他の４方向不良チップのみが存在すると前記４方向の全部について判定された４方向不良チップを別のチップ指標に分類する第２分類ステップをさらに含む請求項１から５のいずれか一項に記載の良品チップ分類方法。
【請求項７】
判定対象チップをＸ軸方向及びＹ軸方向の４方向での連続性に基づいて４方向良品グループに分別する４方向判定対象チップ分別ステップと、
前記分類ステップで前記４方向とも集中不良分布に属する不良チップが存在すると分類された判定対象チップである４方向不良チップのみを含む４方向良品グループに属する判定対象チップを別のチップ指標に分類する第３分類ステップと、をさらに含む請求項１から６のいずれか一項に記載の良品チップ分類方法。
【請求項８】
判定対象チップをＸ軸方向及びＹ軸方向での４方向に斜め４５度方向を加えた８方向での連続性に基づいて８方向良品グループに分別する８方向判定対象チップ分別ステップと、
前記分類ステップで前記４方向とも集中不良分布に属する不良チップが存在すると分類された判定対象チップである４方向不良チップのみを含む８方向良品グループに属する判定対象チップを別のチップ指標に分類する第４分類ステップと、をさらに含む請求項１から７のいずれか一項に記載の良品チップ分類方法。
【請求項９】
前記不良チップ分別ステップは、各不良チップについて所定範囲内にある他の不良チップの存在の確認を行ない、連続する不良チップのみならず所定範囲内に位置する不良チップも同じグループに属するように不良チップを不良グループに分別する請求項１から８のいずれか一項に記載の良品チップ分類方法。
【請求項１０】
不良グループから所定範囲内に位置する不良チップもしくは他の不良グループ又はその両方を併合して不良グループと判定する不良グループ併合ステップを含む請求項１から９のいずれか一項に記載の良品チップ分類方法。
【請求項１１】
前記不良グループ併合ステップは、予め設定された第１不良チップ数併合しきい値以上の個数の不良チップからなる不良グループのみに対し、予め設定された第２不良チップ数併合しきい値以上の個数の不良チップからなる他の不良グループのみを併合する請求項１０に記載の良品チップ分類方法。
【請求項１２】
前記不良グループ併合ステップは併合する作業を繰り返し処理する請求項１１に記載の良品チップ分類方法。
【請求項１３】
前記不良グループ併合ステップは、予め設定された第１不良チップ数併合しきい値以上の個数の不良チップからなる不良グループのみに対し、予め設定された第２不良チップ数併合しきい値以上の個数の不良チップからなる他の不良グループのみを併合し、併合した不良グループから所定範囲内に位置する不良グループに対しても予め設定された第２不良チップ数併合しきい値以上の個数の不良チップからなる他の不良グループのみを併合する請求項１０又は１１に記載の良品チップ分類方法。
【請求項１４】
前記ウエハテスト結果は、１つ以上のウエハテスト不良項目郡である請求項１から１３のいずれか一項に記載の良品チップ分類方法。
【請求項１５】
請求項１から１４のいずれか一項に記載の良品チップ分類方法の全ステップと、その全ステップの後に、チップ指標が付される際に対象となった不良グループに属する不良チップがチップ指標ごとに予め定められた判定用範囲内に存在する判定対象チップを追加不良チップと判定する判定ステップを含むチップ品質判定方法。
【請求項１６】
請求項１から１４のいずれか一項に記載の良品チップ分類方法の全ステップと、その全ステップの後に、予め定められた判定用チップ指標と同じチップ指標をもつ判定対象チップを追加不良チップと判定する判定ステップを含むチップ品質判定方法。
【請求項１７】
請求項１から１４のいずれか一項に記載の良品チップ分類方法の全ステップと、
判定対象チップごとに、判定対象チップから所定範囲内かつチップ指標が付される際に対象となった不良グループに属する不良チップの個数を算出し、その個数を近傍不良チップ指数とする近傍不良チップ指数算出ステップと、
前記全ステップ及び前記近傍不良チップ指数算出ステップの後に、チップ指標ごとに予め設定された近傍不良チップ指数しきい値以上の近傍不良チップ指数をもつ判定対象チップを追加不良チップと判定する判定ステップを含むチップ品質判定方法。
【請求項１８】
請求項１から１４のいずれか一項に記載の良品チップ分類方法の全ステップと、
判定対象チップごとに、チップ指標が付される際に対象となった不良グループに属する不良チップまでの最短距離を算出し、その最短距離を不良チップまでの距離指数とする不良チップまでの距離指数算出ステップと、
前記全ステップ及び前記不良チップまでの距離指数算出ステップの後に、チップ指標ごとに予め設定された不良チップまでの距離指数しきい値以下の不良チップまでの距離指数をもつ判定対象チップを追加不良チップと判定する判定ステップを含むチップ品質判定方法。
【請求項１９】
前記判定ステップは、不良グループに属する不良チップに隣接する良品チップをチップ指標にかかわらず追加不良チップと判定する請求項１５から１８いずれか一項に記載のチップ品質判定方法。
【請求項２０】
前記判定ステップは、追加不良チップと判定した判定対象チップから所定範囲内にある良品チップも追加不良チップと判定する請求項１５から１９のいずれか一項に記載のチップ品質判定方法。
【請求項２１】
前記判定ステップの後に、不良グループに属する全ての不良チップ及び近傍の良品チップを含む不良グループ近傍領域内にある、対象の不良グループに属する不良チップ数と追加不良チップ数の差又は比率に基づいて前記判定ステップの判定の妥当性を確認する判定妥当性確認ステップを含む請求項１５から２０のいずれか一項に記載のチップ品質判定方法。
【請求項２２】
前記判定妥当性確認ステップは、不良グループに属する不良チップの個数に応じて判定基準を異ならせる請求項２１に記載のチップ品質判定方法。
【請求項２３】
前記分類ステップの後に、同一の不良グループに対して同一のチップ指標をもつ判定対象チップをＸ軸方向及びＹ軸方向での４方向又はそれに斜め４５度方向を加えた８方向での連続性に基づいてチップ指標グループに分別するチップ指標グループ分別ステップと、
前記判定ステップの後に、チップ指標グループごとに、そのチップ指標グループに属する全ての追加不良チップを含みかつ最小の矩形の領域の外周に１チップ分以上加えた矩形領域内にある不良チップ数と追加不良チップ数の差又は比率に基づいて前記判定ステップの判定の妥当性を確認する判定妥当性確認ステップを含む請求項１５から２０のいずれか一項に記載のチップ品質判定方法。
【請求項２４】
前記判定妥当性確認ステップは、チップ指標に応じて判定基準を異ならせる請求項２３に記載のチップ品質判定方法。
【請求項２５】
請求項１から１３のいずれか一項に記載の各ステップをコンピュータに実行させるための良品チップ分類プログラム。
【請求項２６】
請求項１５から２４のいずれか一項に記載の各ステップをコンピュータに実行させるためのチップ品質判定プログラム。
【請求項２７】
ウエハの目的の位置に印を付けるためのマーキング部と、前記マーキング部の動作を制御するための制御部を備え、前記制御部は請求項２６に記載のチップ品質判定プログラムを備えており、前記チップ品質判定プログラムが不良チップ又は追加不良チップと判定したチップに対応するウエハ位置に印を付けるように前記マーキング部を動作させるマーキング機構。
【請求項２８】
ウエハ上でＸ軸方向及びＹ軸方向にマトリクス状に配置されたチップの良品と不良品を判定するウエハテスト工程と、
請求項１５から２４のいずれか一項に記載のチップ品質判定方法を用いて追加不良チップを検出するチップ品質判定工程と、
前記ウエハからチップを切り出すチップ切出し工程と、を含む半導体装置の製造方法。
【請求項２９】
前記チップ品質判定工程で良品チップと認識されたチップのみをパッケージングするパッケージング工程を含む請求項２８に記載の製造方法。
【発明の詳細な説明】
【技術分野】
【０００１】
本発明は、半導体装置（チップとも称す）の製造工程においてウエハ上でチップの品質を判定するため用いるチップ分類方法、それを用いたチップ品質判定方法、ならびにチップ分類プログラム、チップ品質判定プログラム、マーキング機構及び半導体装置の製造方法に関するものである。
【背景技術】
【０００２】
半導体装置は様々な工程を経て製品となる。その様々な工程で処理される際の様々な異常が歩留り低下や品質低下を招く要因となっている。半導体装置の製造工程において、各工程でのパターン形成後、ウエハ状態でチップごとに電気的特性試験（ウエハテスト）を行なって良不良を判定し、不良品（不良チップ）に印を付けるインク打ち工程がある。当然、不良チップとして印を付けられるチップはウエハテスト結果に依存する。しかし、不良チップがウエハの一部に集中している集中不良分布が存在すると、例えテストで良品と判断されたチップでもその集中不良分布に隣接するチップや近傍のチップは充分な品質を保証できないことが経験上解っている。
【０００３】
そこで従来、集中不良分布が存在しているウエハは破棄していた。これにより製品の品質は保証される。しかし、ウエハの破棄による損失は免れない。また、この損失は近年のウエハ大口径化にともなって大きくなる傾向にある。
【０００４】
不良チップの分布状況によっては充分な品質を保証できるチップが同一ウエハ上に存在することもある。異常には様々な形態があり、例えば写真製版工程のステッパによるショット内露光不足のように異常の影響がチップの区切れに依存するものもあるが、大半はエッチング工程での異常放電に起因するようなチップの区切れに依存しないものである。また、チップの区切れに依存しない異常の大半が集中不良分布の中心から離れるほど異常の影響が少なくなる傾向がある。
【０００５】
このようなウエハを救済するためにウエハテスト結果を目視により確認し、集中不良分布に隣接する良品チップや近傍の良品チップを不良チップとみなし、不良チップを認識するための印を付けている。以下、集中不良分布に隣接する良品チップや近傍の良品チップ等のように品質の保証が困難な良品チップを不良チップとみなして不良チップを認識するために印を付ける作業を追加インク打ちと称す。
【０００６】
追加インク打ちの方法には、ウエハに直接インク打ちする方法と、ウエハテスト結果を加工する方法がある。テスト用プローバーのインカー機能を用いる場合は前者の方法を用い、テスト用プローバーのインカー機能を用いないでインク打ち専用のプローバー（以後、マーキングプローバーと称す）を用いてインク打ちする場合は後者の方法を用いることが一般的である。
【０００７】
ウエハに直接インク打ちする方法では、ウエハテスト結果又はインク打ちされたウエハそのものを見ながら品質に問題のありそうなチップに対して追加インク打ち作業が行なわれる。
ウエハテスト結果を加工する方法では、専用のソフトウエア（プログラム）で画面上に展開されたウエハテストデータを見て、問題のありそうなチップに対して追加インク打ち作業が行なわれる。
また、近年、不良チップを認識するための印を付けず、ウエハテスト結果の電子情報を元に次工程の処理を行なうインクレスの手法が用いられることがある。インクレスの場合は、ウエハテスト結果の電子情報において、品質の保証が困難な良品チップの電子情報を不良チップを示す情報に変更する作業も追加インク打ちと称す。
【０００８】
このような作業によりチップの品質は保証される。しかし、追加インク打ちを行なうために行なう問題のありそうなチップの選定は経験を元にした感覚的な判断によって行なわれるので個人差が生じるという問題があった。さらに、問題のありそうなチップの選定には多大な人的工数が必要であり、この人的工数はウエハ大口径化にともない増大する傾向にある。
【０００９】
このような不具合を解消すべく、本願発明者は、ウエハ内の不良分布を解析し、品質に問題のある可能性があるチップを予測するアルゴリズムを開発した（特許文献１参照）。このアルゴリズムにより、追加インク打ち作業は大幅な改善が行なわれた。
【００１０】
【特許文献１】特許第３８８８９３８号公報
【発明の開示】
【発明が解決しようとする課題】
【００１１】
しかし、不良チップの分布形態は実に多様で、特許文献１に開示されたアルゴリズムだけでは追加インク打ち対象となるべき全てのチップを予測しきれない場合もある。図３８及び図３９を参照してその一例を説明する。
【００１２】
図３８はウエハテスト工程の最終的なウエハテスト結果の一例を示し、図３９は従来の追加インク打ち対象チップの選択方法により集中不良分布から一定の範囲で追加インク打ち対象チップを選択した一例を示す。
【００１３】
ウエハ２０１上で複数のチップがＸ軸方向及びＹ軸方向にマトリクス状に配置されている。
図３８に示すように、ウエハテストで良品チップと判定されたチップは良品チップ２０３，２０５，２０７のように無印、不良チップと判定されたチップは不良チップ２０９のように×印で示されている。
【００１４】
特許文献１に開示された集中不良分布の判定を用いると、図３８に示した不良チップ２０９を含む複数の不良チップは１つの集中不良分布であると判断できる。そして、図３９に示すように、集中不良分布に属する不良チップに隣接する良品チップ２０５等の良品チップ、すなわち不良チップから１チップ範囲内にある良品チップは追加インク打ち対象チップ（太枠参照）と判定される。
【００１５】
図３９において、集中不良分布に囲まれているが集中不良分布に属する不良チップから２チップ分だけ離れている良品チップ２０７は追加インク打ちの対象となっていない。しかし、経験上、良品チップ２０７のように不良チップに囲まれた閉塞エリアのチップは品質に問題がある可能性が高い。
【００１６】
不良チップに囲まれた良品チップ２０７をオペレータの介在なしに自動的に追加インク打ち対象とするには集中不良分布に属する不良チップから２チップ範囲内にあるチップを不良チップと判定すればよい。
【００１７】
しかし、そうすると集中不良分布に属する不良チップから２チップ分だけ離れた位置にある良品チップ２０３も不良チップと判定される。良品チップ２０３は不良チップに囲まれていない位置にあるので経験上品質に問題のある可能性が低いにも関わらず追加インク打ち対象となってしまう。
このような不具合は、良品チップを品質低下の危惧の程度に応じて分類することができれば解消する。
このような不具合は、近傍のチップを品質低下の危惧の程度に応じて分類することができれば解消する。
【００１８】
本発明の目的は、Ｘ軸方向及びＹ軸方向に複数のチップがマトリクス状に配置されたウエハに対して、品質を保証しつつチップの品質をより精度よく判定するために、ウエハテスト結果における良品チップを品質低下の危惧の程度に応じて分類することができる良品チップ分類方法、ならびにそれを用いたチップ品質判定方法、チップ品質判定プログラム及びマーキング機構を提供することである。
【課題を解決するための手段】
【００１９】
本発明にかかるウエハにおける良品チップ分類方法は、ウエハ上でＸ軸方向及びＹ軸方向にマトリクス状に配置されたチップの良品と不良品を判定したウエハテスト結果に基づいて、Ｘ軸方向及びＹ軸方向での４方向又はそれに斜め４５度方向を加えた８方向での不良チップの連続性の確認を行ない、連続する不良チップは同じグループに属するように不良チップを不良グループに分別する不良チップ分別ステップと、少なくとも良品チップを判定対象チップとし、各不良グループに対して、判定対象チップを、Ｘ軸方向及びＹ軸方向での４方向又はそれに斜め４５度方向を加えた８方向について対象の不良グループに属する不良チップが存在する方向の数に基づいて複数のチップ指標に分類する分類ステップと、を含む。
これにより、良品チップを、不良グループに属する不良チップに囲まれている度合い、すなわち品質低下の危惧の程度に応じて分類することができる。
【００２０】
本願特許請求の範囲及び本明細書において、Ｘ軸方向及びＹ軸方向での４方向とは、Ｘ軸方向のプラス側及びマイナス側ならびにＹ軸方向のプラス側及びマイナス側の４方向を意味する。
また、上記分類ステップにおいて、不良チップに対しても、チップ指標に分類してもよい。
【００２１】
また、上記分類ステップにおいて、判定対象チップを上記４方向について複数のチップ指標に分類する場合、判定対象チップは、上記４方向のいずれにも不良チップが存在しないもの（例えばチップ指標「０」）、１方向のみに不良チップが存在するもの（例えばチップ指標「１」）、２方向に不良チップが存在するもの（例えばチップ指標「２」）、３方向に不良チップが存在するもの（例えばチップ指標「３」）、４方向に不良チップが存在するもの（例えばチップ指標「４」）の５種類のチップ指標に分類される。同様に、上記分類ステップにおいて、判定対象チップを上記８方向について複数のチップ指標に分類する場合、判定対象チップは９種類のチップ指標に分類される。
【００２２】
下記で説明する「発明を実施するための最良の形態」では、不良チップが存在する方向の数をチップ指標として用いるが、チップ指標はこれに限定されるものではなく、不良チップが存在する方向の数を記号や数字に置き換えてもよい。例えば、上記４方向のいずれにも不良チップが存在しないものをチップ指標「ａ」、１方向のみに不良チップが存在するものをチップ指標「ｂ」、２方向に不良チップが存在するものをチップ指標「ｃ」、３方向に不良チップが存在するものをチップ指標「ｄ」、４方向に不良チップが存在するものをチップ指標「ｅ」として５種類のチップ指標に分類するなど、用いるチップ指標は任意である。
【００２３】
上記分類ステップにおいて、複数のチップ指標に分類するために用いる、対象の不良グループに属する不良チップが存在する方向の数は様々な方法で求めることができる。
例を２つ挙げるとすると、まず第１の方法として、判定対象チップに対してＸ軸方向及びＹ軸方向での４方向について１チップずつ座標をずらし、不良グループに属する不良チップの有無を確認する方法を挙げることができる。
Ｘ軸方向及びＹ軸方向での４方向に斜め４５度方向を加えた８方向についても、８方向について１チップずつ座標をずらし不良グループに属する不良チップの有無を確認すればよい。
【００２４】
２つ目の方法として、後に述べる不良グループ近傍領域を利用する方法を挙げることができる。
不良グループ近傍領域を矩形に設定しマトリクス状に配列したチップに対して各行をまず左から右へ１チップずつ移動し、不良グループに属する不良チップの有無を確認していく。このとき各チップに指数を設け、各行共に不良グループに属する不良チップを見つけるに至るまでに確認したチップの指数を０とする。そして、不良グループに属する不良チップを見つけた後のチップに関しては指数を１とする。
次に各行を右から左へ１チップずつ移動し、不良グループに属する不良チップの有無を確認する。各行共に不良グループに属する不良チップが見つかるまで移動する。そして、不良グループに属する不良チップを見つけた後のその行のチップは前述の指数に１を足す。
次に各列を上から下へ１チップずつ移動し、不良グループに属する不良チップの有無を確認する。各列共に不良グループに属する不良チップが見つかるまで移動する。そして、不良グループに属する不良チップを見つけた後のその列のチップは前述の指数に１を足す。
次に各列を下から上へ１チップずつ移動し、不良グループに属する不良チップの有無を確認する。各列共に不良グループに属する不良チップが見つかるまで移動する。そして、不良グループに属する不良チップを見つけた後のその列のチップは前述の指数に１を足す。
Ｘ軸方向及びＹ軸方向での４方向に斜め４５度方向を加えた８方向についても、座標上を４５度の斜めに移動して指数を加算すればよい。
【００２５】
ところで、少数の不良チップ群からなる不良グループの近傍の良品チップについては、経験上品質に問題はなく、追加インク打ち対象とする必要性は低い。
そこで、本発明の良品チップ分類方法において、各不良グループについて、その不良グループに属する不良チップ数と予め設定された不良チップ数しきい値を比較し、不良チップ数が不良チップ数しきい値以上のときにその不良グループを集中不良分布と判定する集中不良分布判定ステップを含み、上記分類ステップは、上記集中不良分布判定ステップで集中不良分布と判定された不良グループのみに対して判定対象チップをチップ指標に分類するようにしてもよい。
【００２６】
さらに、上記集中不良分布判定ステップは、不良グループに属する不良チップの少なくとも１つがウエハ周辺チップから所定範囲内に位置している不良グループに対し、不良グループに属する不良チップの全部がウエハ周辺チップから所定範囲内に位置していない不良グループに対して用いる不良チップ数しきい値よりも小さい不良チップ数しきい値を用いるようにしてもよい。ここでウエハ周辺チップとは、チップ配列の最外周に配置されたチップをいう。
【００２７】
また、不良グループから離れている良品チップについては、経験上品質に問題はなく、追加インク打ち対象とする必要性は低い。
そこで、不良グループに属する全ての不良チップ及び近傍の良品チップを含む不良グループ近傍領域を設定する不良グループ近傍領域設定ステップを含み、上記分類ステップは、上記不良グループ近傍領域設定ステップで設定された不良グループ近傍領域内の良品チップを判定対象チップとしてチップ指標に分類するようにしてもよい。
【００２８】
ここで、上記集中不良分布判定ステップを含む場合には、不良グループ近傍領域設定ステップは集中不良分布判定ステップの前に行なってもよいし、後に行なってもよい。ただし、上記集中不良分布判定ステップを含む場合には判定ステップにおいて集中不良分布と判定された不良グループのみに対して判定対象チップをチップ指標に分類するので、無駄な不良グループ近傍領域の設定処理を省くために、集中不良分布判定ステップを行なった後、不良グループ近傍領域設定ステップを行なうことが好ましい。
【００２９】
また、本発明の良品チップ分類方法において、上記不良グループ近傍領域設定ステップは、不良グループに属する全ての不良チップを少なくとも含む矩形領域を上記不良グループ近傍領域とする例を挙げることができる。例えば、不良グループに属する全ての不良チップを含みかつ最小の矩形領域や、その矩形領域の外周に１チップ分や２チップ分以上加えた矩形領域を不良グループ近傍領域とする例を挙げることができる。ただし、不良グループ近傍領域はこれらに限定されるものではない。例えば、不良グループの輪郭に２チップ分以上加えた領域であってもよい。
【００３０】
なお、不良グループに属する全ての不良チップを含みかつ最小の矩形領域を不良グループ近傍領域として設定する場合、１個の不良チップからなる不良グループや、不良グループ自体が矩形領域の不良グループに対しては、不良グループの領域と不良グループ近傍領域が同一の領域になる。この場合、不良グループ近傍領域には良品チップ、すなわち判定対象チップが含まれないので、このような不良グループ近傍領域に対しては分類ステップにおいて判定対象チップに対するチップ指標の分別は行なわれない。
【００３１】
例えば、不良グループに属する全ての不良チップを含みかつ最小の矩形の領域の外周に１チップ分加えた矩形領域を不良グループ近傍領域とするようにすれば、不良グループに属する不良チップに隣接する良品チップ、及び、Ｘ軸方向及びＹ軸方向での上記４方向のうち２方向以上に集中不良分布に属する不良チップが存在する良品チップを判定対象チップとすることができる。
【００３２】
また、本発明の良品チップ分類方法において、上記分類ステップで上記４方向とも対象の不良グループに属する不良チップが存在すると分類された判定対象チップである４方向不良チップに対して上記４方向について対象の不良グループに属する不良チップとの間に他の判定対象チップの存在及び他の４方向不良チップの存在を判定し、その集中不良分布に属する不良チップとの間に他の判定対象チップが存在しない又は他の４方向不良チップのみが存在すると上記４方向の全部について判定された４方向不良チップを別のチップ指標に分類する第２分類ステップをさらに含むようにしてもよい。ここで、対象の不良グループとは、チップ指標が付される際に対象となった不良グループを意味する。また、４方向不良チップの意味を確認すると、４方向不良チップとは、分類ステップで上記４方向とも対象の不良グループに属する不良チップが存在すると分類された判定対象チップである。
【００３３】
また、本発明の良品チップ分類方法において、判定対象チップをＸ軸方向及びＹ軸方向の４方向での連続性に基づいて４方向良品グループに分別する４方向判定対象チップ分別ステップと、上記分類ステップで上記４方向とも集中不良分布に属する不良チップが存在すると分類された判定対象チップである４方向不良チップのみを含む４方向良品グループに属する判定対象チップを別のチップ指標に分類する第３分類ステップと、をさらに含むようにしてもよい。
ここで、４方向判定対象チップ分別ステップは上記分類ステップの前であってもよいし後であってもよい。また、上記第２分類ステップを含む場合には、上記第２分類ステップは、４方向判定対象チップ分別ステップの前であってもよいし、４方向判定対象チップ分別ステップと第３分類ステップの間であってもよいし、第３分類ステップの後であってもよい。また、上記集中不良分布判定ステップもしくは上記不良グループ近傍領域設定ステップ又はその両方を含み、４方向判定対象チップ分別ステップを上記分類ステップの前に行なう場合には、４方向判定対象チップ分別ステップ、集中不良分布判定ステップ、不良グループ近傍領域設定ステップを行なう順序は任意である。
【００３４】
また、本発明の良品チップ分類方法において、判定対象チップをＸ軸方向及びＹ軸方向での４方向に斜め４５度方向を加えた８方向での連続性に基づいて８方向良品グループに分別する８方向判定対象チップ分別ステップと、上記分類ステップで上記４方向とも集中不良分布に属する不良チップが存在すると分類された判定対象チップである４方向不良チップのみを含む８方向良品グループに属する判定対象チップを別のチップ指標に分類する第４分類ステップと、をさらに含むようにしてもよい。
【００３５】
ここで、８方向判定対象チップ分別ステップは上記分類ステップの前であってもよいし後であってもよい。また、上記第２分類ステップ、もしくは上記４方向判定対象チップ分別ステップ及び上記第３分類ステップ、又はそれらの全ステップを含む場合には、各ステップの処理で矛盾が生じない範囲で、各ステップの順序は任意である。例えば、上記第２分類ステップを含む場合、上記第２分類ステップは、８方向判定対象チップ分別ステップの前であってもよいし、８方向判定対象チップ分別ステップと第４分類ステップの間であってもよいし、第４分類ステップの後であってもよい。また、上記集中不良分布判定ステップもしくは上記不良グループ近傍領域設定ステップ又はその両方を含み、８方向判定対象チップ分別ステップを上記分類ステップの前に行なう場合には、８方向判定対象チップ分別ステップ、集中不良分布判定ステップ、不良グループ近傍領域設定ステップを行なう順序は任意である。
【００３６】
また、本発明の良品チップ分類方法において、上記不良チップ分別ステップは、各不良チップについて所定範囲内にある他の不良チップの存在の確認を行ない、連続する不良チップのみならず所定範囲内に位置する不良チップも同じグループに属するように不良チップを不良グループに分別するようにしてもよい。なお、所定範囲はウエハサイズやチップサイズに依存する。ここで他の不良チップの存在の確認を行なう上記所定範囲を大きくしすぎると、同一不良グループに分別すべきでない不良チップまで同一不良グループに属することになってしまうので、上記所定範囲は不良チップの周囲２チップ分の矩形領域又は周囲３チップ分の矩形領域であることが好ましい。ただし、上記所定範囲は不良チップの周囲４チップ分以上の範囲であってもよい。
【００３７】
また、本発明の良品チップ分類方法において、不良グループから所定範囲内に位置する不良チップもしくは他の不良グループ又はその両方を併合して不良グループと判定する不良グループ併合ステップを含むようにしてもよい。ここで他の不良グループ及び不良チップの存在の確認を行なう上記所定範囲を大きくしすぎると、１つの不良グループと判定すべきでない不良チップまで同一の不良グループに属することになってしまうので、上記所定範囲は集中不良分布の周囲２チップ分の矩形領域又は周囲３チップ分の矩形領域であることが好ましい。ただし、上記所定範囲は集中不良分布の周囲４チップ分以上の範囲であってもよい。
さらに、上記併合する作業を繰り返し処理するようにしてもよい。
【００３８】
ところで、上記不良グループ併合ステップで小規模の不良グループについて併合すると、上記分類ステップにおいて、併合後の不良グループの近傍に位置する、経験上品質に問題のない良品チップが、後述する判定ステップで追加不良チップと判定されるチップ指標に分類されてしまう可能性がある。
【００３９】
そこで、上記不良グループ併合ステップは、予め設定された第１不良チップ数併合しきい値以上の個数の不良チップからなる不良グループのみに対し、予め設定された第２不良チップ数併合しきい値以上の個数の不良チップからなる他の不良グループのみを併合するようにしてもよい。例えば、第１不良チップ数併合しきい値は５チップ、第２不良チップ数併合しきい値は５チップとする例を挙げることができる。このように不良チップ数併合しきい値を設けることは、上記集中不良分布判定ステップを含み、上記分類ステップにおいて集中不良分布判定ステップで集中不良分布と判定された不良グループのみに対して判定対象チップをチップ指標に分類する場合に特に有効である。
【００４０】
また、本発明の良品チップ分類方法において、上記ウエハテスト結果は、１つ以上のウエハテスト不良項目郡である例を挙げることができる。
一般に、同一製造工程の同一異常の場合、ほとんど同じテスト項目で不良と判定される傾向がある。よって、本発明のチップ品質判定方法においてウエハテストのテスト項目ごとに判定を行なった方が判定精度を向上させることができる場合がある。しかし、テスト項目ごとの処理は時間がかかりすぎ、また、複数のテスト項目がある場合、ウエハテストにかかる時間を短縮するために通常はあるテスト項目で不良と判定された時点で以後のテスト項目についてはテストされない。そこで、テスト項目をグループ化し、テスト項目グループごとのウエハテスト結果を本発明のチップ品質判定方法に用いるようにしてもよい。テスト項目のグループ化については項目の重複があってもよい。むしろ項目を重複させることにより不良と判定された時点で以後の項目についてはテストされないことによる不具合を緩和できる。
【００４１】
本発明にかかるチップ品質判定方法は、本発明の良品チップ分類方法の全ステップと、その全ステップの後に、チップ指標が付される際に対象となった不良グループに属する不良チップがチップ指標ごとに予め定められた判定用範囲内に存在する判定対象チップを追加不良チップと判定する判定ステップを含む。ここで、判定用範囲は判定対象チップの周囲１チップ分以上の矩形範囲や、Ｘ軸方向及びＹ軸方向での４方向での周囲１チップ分以上の範囲などを挙げることができる。
【００４２】
本発明にかかるチップ品質判定方法の他の局面は、本発明の良品チップ分類方法の全ステップと、その全ステップの後に、予め定められた判定用チップ指標と同じチップ指標をもつ判定対象チップを追加不良チップと判定する判定ステップを含む。
【００４３】
本発明にかかるチップ品質判定方法のさらに他の局面は、本発明の良品チップ分類方法の全ステップと、判定対象チップごとに、その判定対象チップから所定範囲内かつチップ指標が付される際に対象となった不良グループに属する不良チップの個数を算出し、その個数を近傍不良チップ指数とする近傍不良チップ指数算出ステップと、上記全ステップ及び上記近傍不良チップ指数算出ステップの後に、チップ指標ごとに予め設定された近傍不良チップ指数しきい値以上の近傍不良チップ指数をもつ判定対象チップを追加不良チップと判定する判定ステップを含む。
【００４４】
ここで、近傍不良チップ指数算出ステップは、上記第２分類ステップ、上記４方向判定対象チップ分別ステップ及び上記第３分類ステップの組、上記８方向判定対象チップ分別ステップ及び上記第４分類ステップの組、もしくはそれらの組合せ、又はそれらの全ステップを含む場合であっても、集中不良分布近傍領域設定ステップと判定ステップの間であればいずれのタイミングで行なってもよい。
【００４５】
本発明にかかるチップ品質判定方法のさらに他の局面は、本発明の良品チップ分類方法の全ステップと、判定対象チップごとに、チップ指標が付される際に対象となった不良グループに属する不良チップまでの最短距離を算出し、その最短距離を不良チップまでの距離指数とする不良チップまでの距離指数算出ステップと、上記全ステップ及び上記不良チップまでの距離指数算出ステップの後に、チップ指標ごとに予め設定された不良チップまでの距離指数しきい値以下の不良チップまでの距離指数をもつ判定対象チップを追加不良チップと判定する判定ステップを含む。
【００４６】
ここで、距離指数算出ステップは、上記第２分類ステップ、上記４方向判定対象チップ分別ステップ及び上記第３分類ステップの組、上記８方向判定対象チップ分別ステップ及び上記第４分類ステップの組、もしくはそれらの組合せ、又はそれらの全ステップを含む場合であっても、集中不良分布近傍領域設定ステップと判定ステップの間であればいずれのタイミングで行なってもよい。
【００４７】
本発明のチップ品質判定方法において、上記判定ステップは、不良グループに属する不良チップに隣接する良品チップをチップ指標にかかわらず追加不良チップと判定するようにしてもよい。ここで、あるチップに隣接するチップとは、あるチップの周囲８方向で隣接するチップを意味する。また、不良グループ近傍領域が設定されている場合には、不良グループに属する不良チップに隣接する良品チップには不良グループ近傍領域外の良品チップも含まれる。
【００４８】
また、上記判定ステップは、追加不良チップと判定した判定対象チップから所定範囲内にある良品チップも追加不良チップと判定するようにしてもよい。
【００４９】
また、上記判定ステップの後に、不良グループに属する全ての不良チップ及び近傍の良品チップを含む不良グループ近傍領域内にある、対象の不良グループに属する不良チップ数と追加不良チップ数の差又は比率に基づいて上記判定ステップの判定の妥当性を確認する判定妥当性確認ステップを含むようにしてもよい。
さらに、上記判定妥当性確認ステップは、不良グループに属する不良チップの個数に応じて判定基準を異ならせるようにしてもよい。
【００５０】
また、本発明のチップ品質判定方法において、上記分類ステップの後に、同一の不良グループに対して同一のチップ指標をもつ判定対象チップをＸ軸方向及びＹ軸方向での４方向又はそれに斜め４５度方向を加えた８方向での連続性に基づいてチップ指標グループに分別するチップ指標グループ分別ステップと、上記判定ステップの後に、チップ指標グループごとに、そのチップ指標グループに属する全ての追加不良チップを含みかつ最小の矩形の領域の外周に１チップ分以上加えた矩形領域内にある不良チップ数と追加不良チップ数の差又は比率に基づいて上記判定ステップの判定の妥当性を確認する判定妥当性確認ステップを含むようにしてもよい。ここで、チップ指標グループ分別ステップは、分類ステップと判定妥当性確認ステップの間であればいずれのタイミングで行なってもよい。
さらに、上記判定妥当性確認ステップは、チップ指標に応じて判定基準を異ならせるようにしてもよい。
【００５１】
本発明の良品チップ分類プログラムは、本発明の良品チップ分類方法の各ステップをコンピュータに実行させるためのものである。これにより、自動で、良品チップを品質低下の危惧の程度に応じて分類することができる。
【００５２】
本発明のチップ品質判定プログラムは、本発明のチップ品質判定方法の各ステップをコンピュータに実行させるためのものである。これにより、コンピュータを用いて本発明のチップ品質判定方法を実施することができ、従来、問題のありそうなチップの選定に割いていた多大な人的工数をなくすことができ、さらに作業者の経験に頼っていた判断基準を改善できる。
【００５３】
本発明のマーキング機構は、ウエハの目的の位置に印を付けるためのマーキング部と、上記マーキング部の動作を制御するための制御部を備え、上記制御部は本発明のチップ品質判定プログラムを備えており、本発明のチップ品質判定プログラムが不良チップ又は追加不良チップと判定したチップに対応するウエハ位置に印を付けるように上記マーキング部を動作させるものである。
これにより、判定用チップ指標やしきい値等の判定条件を予め入力しておけば、一部に不良チップがあるウエハにおいて品質を保証しつつチップの品質を判定し、不良チップと判定されたチップに対して自動で印を付けることができる。
【００５４】
本発明の半導体装置の製造方法は、ウエハ上でＸ軸方向及びＹ軸方向にマトリクス状に配置されたチップの良品と不良品を判定するウエハテスト工程と、本発明のチップ品質判定方法を用いて追加不良チップを検出するチップ品質判定工程と、上記ウエハからチップを切り出すチップ切出し工程と、を含む。
ここで、チップ切出し工程は、ウエハテスト工程の前に行なってもよいし、ウエハテスト工程とチップ品質判定工程の間で行なってもよいし、チップ品質判定工程の後で行なってもよい。切出し工程をウエハテスト工程の前に行なう場合は、切出し工程後、チップをダイシング用粘着シートに貼り付けた状態でウエハテストを行なう例を挙げることができる。また、「ウエハからチップを切り出す」とは、ウエハ上に配列された複数のチップを個々のチップに分割することを意味する。
また、不良チップ又は追加不良チップと判定されたチップに対応するウエハ位置に印を付けるマーキング工程を含んでもよい。
【００５５】
本発明の半導体装置の製造方法において、上記チップ品質判定工程で良品チップと認識されたチップのみをパッケージングするパッケージング工程を含む例を挙げることができる。
ここで「チップをパッケージングする」とは、ウエハから切り出されたチップの電極をワイヤーボンディング技術等によってリード端子等の他の電極に電気的に接続した後、モールド樹脂等の封止樹脂によってチップを封止することを意味する。
なお、本発明の半導体装置の製造方法はパッケージング工程を含むものに限定されるものではなく、ウエハから切り出したチップをそのまま出荷したり、製造ラインに乗せたりする場合には上記パッケージング工程は実施されない。例えば、ウエハレベルＣＳＰ（Chip Scale Package）は、ウエハから切り出される前にチップが封止されるので、ウエハから切り出した後にパッケージングされることなく使用される。また、封止されていないベアチップの状態で出荷したり製造ラインに乗せたりすることもある。
【発明の効果】
【００５６】
本発明にかかるウエハにおける良品チップ分類方法では、ウエハ上でＸ軸方向及びＹ軸方向にマトリクス状に配置されたチップの良品と不良品を判定したウエハテスト結果に基づいて、Ｘ軸方向及びＹ軸方向での４方向又はそれに斜め４５度方向を加えた８方向での不良チップの連続性の確認を行ない、連続する不良チップは同じグループに属するように不良チップを不良グループに分別する不良チップ分別ステップと、少なくとも良品チップを判定対象チップとし、各不良グループに対して、判定対象チップを、Ｘ軸方向及びＹ軸方向での４方向又はそれに斜め４５度方向を加えた８方向について対象の不良グループに属する不良チップが存在する方向の数に基づいて複数のチップ指標に分類する分類ステップと、を含むようにしたので、ウエハテスト結果における良品チップを品質低下の危惧の程度に応じて分類することができる。
【００５７】
本発明の良品チップ分類方法において、各不良グループについて、その不良グループに属する不良チップ数と予め設定された不良チップ数しきい値を比較し、不良チップ数が不良チップ数しきい値以上のときにその不良グループを集中不良分布と判定する集中不良分布判定ステップを含み、上記分類ステップは、上記集中不良分布判定ステップで集中不良分布と判定された不良グループのみに対して判定対象チップをチップ指標に分類するようにすれば、少数の不良チップ群からなる不良グループに対するチップ指標の算出を行なわなくてすむので、データ処理時間を短縮できる。
【００５８】
さらに、上記集中不良分布判定ステップは、不良グループに属する不良チップの少なくとも１つがウエハ周辺チップから所定範囲内に位置している不良グループに対し、不良グループに属する不良チップの全部がウエハ周辺チップから所定範囲内に位置していない不良グループに対して用いる不良チップ数しきい値よりも小さい不良チップ数しきい値を用いるようにすれば、不良チップ個数の少ない不良グループであっても、品質低下の危惧レベルの高いウエハ周辺チップ近傍のチップを含むものであれば集中不良分布として処理することができる。
【００５９】
また、本発明の良品チップ分類方法において、不良グループに属する全ての不良チップ及び近傍の良品チップを含む不良グループ近傍領域を設定する不良グループ近傍領域設定ステップを含み、上記分類ステップは、上記不良グループ近傍領域設定ステップで設定された不良グループ近傍領域内の良品チップを判定対象チップとしてチップ指標に分類するようにすれば、不良グループ近傍領域外の良品チップに対するチップ指標の算出を行なわなくてすむので、データ処理時間を短縮できる。
【００６０】
また、分類ステップで上記４方向とも対象の不良グループに属する不良チップが存在すると分類された判定対象チップである４方向不良チップに対して上記４方向について対象の不良グループに属する不良チップとの間に他の判定対象チップの存在及び他の４方向不良チップの存在を判定し、その集中不良分布に属する不良チップとの間に他の判定対象チップが存在しない又は他の４方向不良チップのみが存在すると上記４方向の全部について判定された４方向不良チップを別のチップ指標に分類する第２分類ステップをさらに含むようにすれば、そのような４方向不良チップはウエハテストで良品と判定されても異常の影響を受けている可能性が高いので、４方向不良チップを追加インク打ちの対象とするチップ指標に分類することができる。
【００６１】
また、判定対象チップをＸ軸方向及びＹ軸方向の４方向での連続性に基づいて４方向良品グループに分別する４方向判定対象チップ分別ステップと、分類ステップで上記４方向とも集中不良分布に属する不良チップが存在すると分類された判定対象チップである４方向不良チップのみを含む４方向良品グループに属する判定対象チップを別のチップ指標に分類する第３分類ステップと、をさらに含むようにすれば、不良チップに取り囲まれている度合いの高い判定対象チップを検出でき、その判定対象チップを追加インク打ちの対象とするチップ指標に分類することができる。
【００６２】
また、判定対象チップをＸ軸方向及びＹ軸方向での４方向に斜め４５度方向を加えた８方向での連続性に基づいて８方向良品グループに分別する８方向判定対象チップ分別ステップと、分類ステップで上記４方向とも集中不良分布に属する不良チップが存在すると分類された判定対象チップである４方向不良チップのみを含む８方向良品グループに属する判定対象チップを別のチップ指標に分類する第４分類ステップと、をさらに含むようにすれば、不良チップに取り囲まれている判定対象チップを検出でき、その判定対象チップを追加インク打ちの対象とするチップ指標に分類することができる。
【００６３】
また、不良チップ分別ステップは、各不良チップについて所定範囲内にある他の不良チップの存在の確認を行ない、連続する不良チップのみならず所定範囲内に位置する不良チップも同じグループに属するように不良チップを不良グループに分別するようにすれば、互いに隣接はしていないが近傍に存在する複数の不良チップを同じ不良グループに分別することができ、経験上追加インク打ち対象となる良品チップを集中不良分布近傍領域内の判定対象チップとして処理することができる。
【００６４】
また、集中不良分布判定ステップは、集中不良分布と判定した不良グループから所定範囲内に位置する不良チップもしくは他の不良グループ又はその両方を併合して不良グループと判定する不良グループ併合ステップを含み、また、併合する作業を繰り返し処理するようにすれば、経験上追加インク打ち対象となる良品チップも集中不良分布近傍領域内の判定対象チップとして処理することができる。
【００６５】
さらに、不良グループ併合ステップは、予め設定された第１不良チップ数併合しきい値以上の個数の不良チップからなる不良グループのみに対し、予め設定された第２不良チップ数併合しきい値以上の個数の不良チップからなる他の不良グループのみを併合するようにすれば、小規模の不良グループ同士を併合するのを防止でき、経験上品質に問題のない良品チップが、後述する判定ステップで追加不良チップと判定されるチップ指標に分類されてしまうのを防止できる。このように不良チップ数併合しきい値を設けることは、上記集中不良分布判定ステップを含み、分類ステップにおいて集中不良分布判定ステップで集中不良分布と判定された不良グループのみに対して判定対象チップをチップ指標に分類する場合に特に有効である。
【００６６】
本発明のチップ品質判定方法では、本発明の良品チップ分類方法の全ステップと、その全ステップの後に、チップ指標が付される際に対象となった不良グループに属する不良チップがチップ指標ごとに予め定められた判定用範囲内に存在する判定対象チップを追加不良チップと判定する判定ステップを含むようにしたので、本発明の良品チップ分類方法によって品質低下の危惧の程度ごとに分類されたチップ指標に基づき、品質を保証しつつチップの品質をより精度よく判定できる。このチップ品質判定方法は、不良チップの集中不良分布があるウエハに対して特に有効である。
【００６７】
本発明のチップ品質判定方法の他の局面では、本発明の良品チップ分類方法の全ステップと、その全ステップの後に、予め定められた判定用チップ指標と同じチップ指標をもつ判定対象チップを追加不良チップと判定する判定ステップを含むようにしたので、この局面によっても、本発明の良品チップ分類方法によって品質低下の危惧の程度ごとに分類されたチップ指標に基づき、品質を保証しつつチップの品質をより精度よく判定できる。このチップ品質判定方法は、不良チップの集中不良分布があるウエハに対して特に有効である。
【００６８】
本発明のチップ品質判定方法のさらに他の局面は、本発明の良品チップ分類方法の全ステップと、判定対象チップごとに、その判定対象チップから所定範囲内かつチップ指標が付される際に対象となった不良グループに属する不良チップの個数を算出し、その個数を近傍不良チップ指数とする近傍不良チップ指数算出ステップと、全ステップ及び近傍不良チップ指数算出ステップの後に、チップ指標ごとに予め設定された近傍不良チップ指数しきい値以上の近傍不良チップ指数をもつ判定対象チップを追加不良チップと判定する判定ステップを含むようにしたので、この局面によっても、本発明の良品チップ分類方法によって品質低下の危惧の程度ごとに分類されたチップ指標に基づき、品質を保証しつつチップの品質をより精度よく判定できる。このチップ品質判定方法は、不良チップの集中不良分布があるウエハに対して特に有効である。
【００６９】
本発明のチップ品質判定方法のさらに他の局面は、本発明の良品チップ分類方法の全ステップと、判定対象チップごとに、チップ指標が付される際に対象となった不良グループに属する不良チップまでの最短距離を算出し、その最短距離を不良チップまでの距離指数とする不良チップまでの距離指数算出ステップと、全ステップ及び不良チップまでの距離指数算出ステップの後に、チップ指標ごとに予め設定された不良チップまでの距離指数しきい値以下の不良チップまでの距離指数をもつ判定対象チップを追加不良チップと判定する判定ステップを含むようにしたので、この局面によっても、本発明の良品チップ分類方法によって品質低下の危惧の程度ごとに分類されたチップ指標に基づき、品質を保証しつつチップの品質をより精度よく判定できる。このチップ品質判定方法は、不良チップの集中不良分布があるウエハに対して特に有効である。
【００７０】
本発明のチップ品質判定方法において、判定ステップは、不良グループに属する不良チップに隣接する良品チップをチップ指標にかかわらず追加不良チップと判定するようにすれば、品質低下の危惧の程度が高い良品チップを追加インク打ちの対象とすることができ、より適切な追加インク打ち対象チップの判定が可能になる。
【００７１】
また、判定ステップは、追加不良チップと判定した判定対象チップから所定範囲内にある良品チップも追加不良チップと判定するようにすれば、品質低下の危惧の程度が高い良品チップを追加インク打ちの対象とすることができ、より適切な追加インク打ち対象チップの判定が可能になる。
【００７２】
また、判定ステップの後に、不良グループに属する全ての不良チップ及び近傍の良品チップを含む不良グループ近傍領域内にある、対象の不良グループに属する不良チップ数と追加不良チップ数の差又は比率に基づいて判定ステップの判定の妥当性を確認する判定妥当性確認ステップを含むようにすれば、判定ステップで必要以上に追加不良チップを設定しまった場合にそれらの追加不良チップの全部が追加インク打ち対象チップになってしまうという不具合を防止できる。
さらに、判定妥当性確認ステップは、不良グループに属する不良チップの個数に応じて判定基準を異ならせるようにすれば、集中不良分布の規模に応じて判定妥当性確認ステップを行なうことができ、判定ステップの判定の妥当性を適切に確認することができる。
【００７３】
また、本発明のチップ品質判定方法において、分類ステップの後に、同一の不良グループに対して同一のチップ指標をもつ判定対象チップをＸ軸方向及びＹ軸方向での４方向又はそれに斜め４５度方向を加えた８方向での連続性に基づいてチップ指標グループに分別するチップ指標グループ分別ステップと、判定ステップの後に、チップ指標グループごとに、チップ指標グループに属する全ての追加不良チップを含みかつ最小の矩形の領域の外周に１チップ分以上加えた矩形領域内にある不良チップ数と追加不良チップ数の差又は比率に基づいて判定ステップの判定の妥当性を確認する判定妥当性確認ステップを含むようにすれば、より精度の高い判定妥当性の確認を行なうことができる。
さらに、判定妥当性確認ステップはチップ指標に応じて判定基準を異ならせるようにすれば、判定妥当性の確認をより精度よく行なうことができる。
【００７４】
本発明のチップ分類プログラムでは、本発明の良品チップ分類方法の各ステップをコンピュータに実行させるようにしたので、自動で、集中不良分布近傍のチップを品質低下の危惧の程度に応じて分類することができる。
【００７５】
本発明のチップ品質判定プログラムでは、本発明のチップ品質判定方法の各ステップをコンピュータに実行させるようにしたので、コンピュータを用いて本発明のチップ品質判定方法を実施することができ、従来、問題のありそうなチップの選定に割いていた多大な人的工数をなくすことができ、さらに作業者の経験に頼っていた判断基準を改善できる。
【００７６】
本発明のマーキング機構では、ウエハの目的の位置に印を付けるためのマーキング部と、マーキング部の動作を制御するための制御部を備え、制御部は本発明のチップ品質判定プログラムを備えており、本発明のチップ品質判定プログラムが不良チップ又は追加不良チップと判定したチップに対応するウエハ位置に印を付けるようにマーキング部を動作させるようにしたので、判定用チップ指標やしきい値等の判定条件を予め入力しておけば、一部に不良チップがあるウエハにおいて品質を保証しつつチップの品質を判定し、不良チップと判定されたチップに対して自動で印を付けることができる。
【００７７】
本発明の半導体装置の製造方法では、ウエハ上でＸ軸方向及びＹ軸方向にマトリクス状に配置されたチップの良品と不良品を判定するウエハテスト工程と、本発明のチップ品質判定方法を用いて追加不良チップを検出するチップ品質判定工程と、上記ウエハからチップを切り出すチップ切出し工程と、を含むようにしたので、品質を保証しつつチップの品質をより精度よく判定できる。
【００７８】
さらに、上記チップ品質判定工程で良品チップと認識されたチップのみをパッケージングするパッケージング工程を含むようにすれば、品質に問題のある不良チップ、及び品質低下の危惧の程度が高い追加不良チップを排除してチップをパッケージングすることができ、パッケージングされた半導体装置の信頼性の向上を図ることができる。
【発明を実施するための最良の形態】
【００７９】
本発明のチップ品質判定方法の一実施例は、ウエハテスト結果に基づいて不良チップ近傍の連続性検証による集中不良分布検出後、集中不良分布近傍の良品チップを複数のチップ指標に分類するステップを有する。
【００８０】
図１はウエハテスト工程の最終的なウエハテスト結果の一例である。
ウエハ１０１上で複数のチップがＸ軸方向及びＹ軸方向にマトリクス状に配置されている。ウエハテストで良品チップと判定されたチップは良品チップ１０７のように無印、不良チップと判定されたチップは不良チップ１０３，１０５のように×印で示されている。
【００８１】
図２はチップ品質判定方法の一実施例を説明するためのフローチャートである。図３から図５はこの実施例で設定される集中不良分布近傍領域を拡大して示す図である。図１から図５を参照してこの実施例を説明する。
【００８２】
ステップＳ１：ウエハ１０１上でＸ軸方向及びＹ軸方向にマトリクス状に配置されたチップの良品と不良品を判定する（ウエハテストステップ）。
【００８３】
ステップＳ２：ウエハテストステップＳ１でのウエハテスト結果に基づいて、Ｘ軸方向及びＹ軸方向での４方向に斜め４５度方向を加えた８方向での不良チップの連続性の確認を行ない、連続する不良チップは同じグループに属するように不良チップを不良グループに分別する（不良チップ分別ステップ）。図１に示したウエハテスト結果では９つの不良グループに分別される。
なお、図１に示したウエハテスト結果において、Ｘ軸方向及びＹ軸方向での４方向での不良チップの連続性に基づいて不良チップを不良グループに分別した場合、不良チップは１０個の不良グループに分類される。
【００８４】
ステップＳ３：各不良グループについて、その不良グループに属する不良チップ数と予め設定された不良チップ数しきい値を比較し、不良チップ数が不良チップ数しきい値以上のときにその不良グループを集中不良分布と判定する（集中不良分布判定ステップ）。ここで、不良チップ数しきい値を例えば「１０」とすると、図１に示したウエハテスト結果では不良チップ１０３を含む不良グループのみが集中不良分布Ａと判定される。集中不良分布判定ステップＳ３は、周囲のチップ品質に影響を及ぼさない小規模な不良グループを処理の対象から外すために行なうものである。
【００８５】
ステップＳ４：集中不良分布Ａに属する全ての不良チップ及び近傍の良品チップを含む所定範囲の集中不良分布近傍領域を設定する（集中不良分布近傍領域設定ステップ）。この実施例では、集中不良分布Ａに属する全ての不良チップを含みかつ最小の矩形の領域の外周に１チップ分加えた矩形領域を集中不良分布近傍領域Ｂとした（図３参照）。この実施例では集中不良分布近傍領域Ｂにおいて集中不良分布Ａに属していない不良チップ１０５は良品チップとして処理を行なう。ただし、不良チップ１０５について以下に説明する処理を行なわなくてもよい。
【００８６】
ステップＳ５：集中不良分布近傍領域Ｂ内にある良品チップを判定対象チップとし、判定対象チップごとにＸ軸方向及びＹ軸方向での４方向について集中不良分布Ａに属する不良チップが存在する方向の数を算出し、その方向数によって判定対象チップをチップ指標「０」、「１」、「２」、「３」、「４」に分類する（分類ステップ）。ここで、判定対象チップ（良品チップ）のみについてチップ指標を求めてもよいし、集中不良分布Ａに属する不良チップについても同様にチップ指標を求めてもよい。図４に得られたチップ指標を示す。例えば、集中不良分布Ａに属する不良チップに囲まれている判定対象チップ、すなわち集中不良分布Ａに属する上記４方向に不良チップが存在している判定対象チップはチップ指標「４」となる。分類ステップＳ５によれば、集中不良分布近傍領域Ｂ内の判定対象チップはチップ指標「０」〜「４」のいずれかに必ず属することとなる。
【００８７】
経験上、不良チップに取り囲まれている良品チップほど品質が低下することがわっている。分類ステップＳ５で求めたチップ指標は、チップ指標「０」よりチップ指標「１」、チップ指標「１」よりチップ指標「２」と、チップ指標の番号が大きくなるほど不良チップに取り囲まれている度合いの高い判定対象チップとなる。
【００８８】
ステップＳ６：チップ指標ごとに予め定められた判定用範囲内に集中不良分布に属する不良チップが存在する判定対象チップを追加不良チップと判定する（判定ステップ）。一例として、この実施例では、判定用範囲を、チップ指標「０」、「１」、「２」については「周囲１チップ分の矩形領域」、チップ指標「３」については「周囲２チップ分の矩形領域」、チップ指標「４」については「周囲３チップ分の矩形領域」とした。図５に追加不良チップをシボで表示した結果を示す。追加不良チップは追加インク打ち対象チップとして処理される。この実施例によれば、集中不良分布Ａに属する不良チップに隣接していないが不良チップに取り囲まれている良品チップ１０７を追加不良チップとして検出することができる。
このように、集中不良分布Ａに属する不良チップから所定範囲内にある良品チップについて追加不良チップと判定する際、上記チップ指標を用いることにより適切な追加インク対象チップ判定が可能となる。
【００８９】
図６はチップ品質判定方法の他の実施例を説明するためのフローチャートである。図７及び図８はこの実施例で設定される集中不良分布近傍領域を拡大して示す図である。図６から図８を参照してこの実施例を説明する。ステップＳ１〜ステップＳ５は、上記ステップＳ１〜ステップＳ５と同じであるので説明は省略する。
【００９０】
ステップＳ５−１：分類ステップＳ５で分類した判定対象チップのうち、チップ指標「４」に属する判定対象チップ（４方向不良チップと言う、図４参照）に対してＸ軸方向及びＹ軸方向での４方向について集中不良分布Ａに属する不良チップとの間に他の判定対象チップの存在及び他の４方向不良チップの存在を判定する。上記４方向の全部について、集中不良分布Ａに属する不良チップとの間に他の判定対象チップが存在しない又は他の４方向不良チップのみが存在すると判定された４方向不良チップを別のチップ指標、例えばチップ指標「５」に分類する（第２分類ステップ）。図７に分類ステップＳ５及び第２分類ステップＳ５−１で分類した結果を示す。第２分類ステップＳ５−１でチップ指標「５」と分類された判定対象チップはチップ指標「４」よりも不良チップに取り囲まれている度合いが高いと判定できる。
【００９１】
ステップＳ６−１：チップ指標ごとに予め定められた判定用範囲内に集中不良分布に属
する不良チップが存在する判定対象チップを追加不良チップと判定する（判定ステップ）。一例として、この実施例では、判定用範囲を、チップ指標「０」、「１」、「２」については「周囲１チップ分の矩形領域」、チップ指標「３」については「周囲２チップ分の矩形領域」、チップ指標「４」については「周囲３チップ分の矩形領域」、チップ指標「５」については「周囲４チップ分の矩形領域」、とした。図８に追加不良チップをシボで表示した結果を示す。追加不良チップは追加インク打ち対象チップとして処理される。
この実施例によれば、４方向不良チップはウエハテストで良品と判定されても異常の影響を受けている可能性が高いので、４方向不良チップを追加インク打ちの対象とすることができ、より適切な追加インク打ち対象チップ判定が可能になる。
【００９２】
図９はチップ品質判定方法のさらに他の実施例を説明するためのフローチャートである。図１０から図１２はこの実施例で設定される集中不良分布近傍領域を拡大して示す図である。図９から図１２を参照してこの実施例を説明する。ステップＳ１〜ステップＳ５−１は、上記ステップＳ１〜ステップＳ５−１と同じであるので説明は省略する。
【００９３】
ステップＳ５−２：第２分類ステップＳ５−１の後、集中不良分布近傍領域Ｂ内の判定対象チップをＸ軸方向及びＹ軸方向の４方向での連続性に基づいて４方向良品グループに分別する（４方向判定対象チップ分別ステップ）。図１０に４方向判定対象チップ分別ステップＳ５−２で判定対象チップを分別した結果を示す。ここでは集中不良分布近傍領域Ｂ内の判定対象チップは４方向良品グループ「ａ」、「ｂ」、「ｃ」、「ｄ」の４つのグループに分別される。
【００９４】
ステップＳ５−３：予め設定された４方向良品グループ判定用チップ指標と同じチップ指標をもつ判定対象チップを含んでいない４方向良品グループに属する判定対象チップを別のチップ指標、例えばチップ指標「６」に分類する（第３分類ステップ）。この実施例では４方向良品グループ判定用チップ指標を「３」とし、判定用チップ指標を含んでいる４方向良品グループのチップ指標には変更を加えないようにした。４方向良品グループ「ａ」はチップ指標「３」に属する判定対象チップを含んでいるので、チップ指標はそのままである。４方向良品グループ「ｂ」、「ｃ」、「ｄ」はチップ指標「３」に属する判定対象チップを含んでいないので、チップ指標「６」に分類される。図１１に分類ステップＳ５、第２分類ステップＳ５−１及び第３分類ステップＳ５−３で分類した結果を示す。チップ指標「６」に属する判定対象チップは不良チップに取り囲まれている度合いがチップ指標「５」よりもさらに高い判定対象チップであると判定できる。
【００９５】
ステップＳ６−２：チップ指標ごとに予め定められた判定用範囲内に集中不良分布に属する不良チップが存在する判定対象チップを追加不良チップと判定する（判定ステップ）。一例として、この実施例では、判定用範囲を、チップ指標「０」、「１」、「２」については「周囲１チップ分の矩形領域」、チップ指標「３」については「周囲２チップ分の矩形領域」、チップ指標「４」については「周囲３チップ分の矩形領域」、チップ指標「５」（この実施例では存在しない）については「周囲４チップ分の矩形領域」、チップ指標「６」については「周囲５チップ分の矩形領域」とした。図１２に追加不良チップをシボで表示した結果を示す。追加不良チップは追加インク打ち対象チップとして処理される。
この実施例によれば、不良チップに取り囲まれている度合いの高い判定対象チップを検出でき、それらの判定対象チップを別のチップ指標に分類して、より適切な追加インク打ち対象チップ判定が可能になる。
【００９６】
図１３はチップ品質判定方法のさらに他の実施例を説明するためのフローチャートである。図１４から図１６はこの実施例で設定される集中不良分布近傍領域を拡大して示す図である。図１３から図１６を参照してこの実施例を説明する。ステップＳ１〜ステップＳ５−３は、上記ステップＳ１〜ステップＳ５−３と同じであるので説明は省略する。
【００９７】
ステップＳ５−４：第３分類ステップＳ５−３の後、集中不良分布近傍領域Ｂ内の判定対象チップをＸ軸方向及びＹ軸方向での４方向に斜め４５度方向を加えた８方向での連続性に基づいて８方向良品グループに分別する（８方向判定対象チップ分別ステップ）。図１４に８方向判定対象チップ分別ステップＳ５−３で判定対象チップを分別した結果を示す。ここでは集中不良分布近傍領域Ｂ内の判定対象チップは８方向良品グループ「ａ」、「ｂ」、「ｃ」の３つのグループに分別される。
【００９８】
ステップＳ５−５：予め設定された８方向良品グループ判定用チップ指標と同じチップ指標をもつ判定対象チップを含んでいない８方向良品グループに属する判定対象チップを別のチップ指標、例えばチップ指標「７」に分類する（第４分類ステップ）。この実施例では８方向良品グループ判定用チップ指標を「３」とし、これらの判定用チップ指標のうち少なくとも１つを含んでいる８方向良品グループのチップ指標には変更を加えないようにした。８方向良品グループ「ａ」はチップ指標「３」に属する判定対象チップを含んでいるので、チップ指標はそのままである。８方向良品グループ「ｂ」、「ｃ」はチップ指標「３」に属する判定対象チップを含んでいないので、チップ指標「７」に分類される。図１５に分類ステップＳ５、第２分類ステップＳ５−１、第３分類ステップＳ５−３及び第４分類ステップＳ５−５で分類した結果を示す。チップ指標「７」に属する判定対象チップは不良チップに取り囲まれている判定対象チップであると判定できる。
【００９９】
ステップＳ６−３：チップ指標ごとに予め定められた判定用範囲内に集中不良分布に属する不良チップが存在する判定対象チップを追加不良チップと判定する（判定ステップ）。一例として、この実施例では、判定用範囲を、チップ指標「０」、「１」、「２」については「周囲１チップ分の矩形領域」、チップ指標「３」については「周囲２チップ分の矩形領域」、チップ指標「４」については「周囲３チップ分の矩形領域」、チップ指標「５」（この実施例では存在しない）については「周囲４チップ分の矩形領域」、チップ指標「６」については「周囲５チップ分の矩形領域」、チップ指標「７」については「周囲６チップ分の矩形領域」とした。図１６に追加不良チップをシボで表示した結果を示す。追加不良チップは追加インク打ち対象チップとして処理される。
この実施例によれば、不良チップに取り囲まれている判定対象チップを検出でき、その判定対象チップを別のチップ指標に分類して、より適切な追加インク打ち対象チップ判定が可能になる。
【０１００】
なお、４方向判定対象チップ分別ステップＳ５−２と８方向判定対象チップ分別ステップＳ５−４は、判定対象チップのグループ分けにおいて斜め方向の連続性を除外するか含めるかの違いだけで、実際のデータ処理では極めて似た処理で行なうことができる。よって、各良品チップのグループ分けにおいてはグループＩＤを２種類持たせておけば同時に処理を行なうことができ、データ処理時間を短縮することができる。
【０１０１】
本発明のチップ品質判定方法において、最初にチップ指標を算出する分類ステップは元となる分類なので必要である。また、第２分類ステップ、４方向判定対象チップ分別ステップ及び第３分類ステップの組、８方向判定対象チップ分別ステップ及び第４分類ステップの組を採用する場合、それらの組合せ及び処理順序は任意である。なお、分類ステップでチップ指標「４」に分類される判定対象チップがないときはそれ以降の第２、第３、第４の分類ステップを試みても結果は同じである。
また、第２、第３、第４の分類ステップにおいて、理論上最大番号となるチップ指標に属する判定対象チップがないときは、以降の分類ステップを試みても結果は同じである。
したがって、さらに次元の高い分類ステップを用いる前に理論上最大番号となるチップ指標に属する判定対象チップの有無を確認すれば情報処理に要する時間を短縮することができる。
【０１０２】
また、第２、第３、第４の分類ステップは、分類ステップでチップ指標「４」と判定された判定対象チップの更なる分析である。今回はこの分析により更なるチップ指標を定義したが、第２、第３、第４の分類ステップの分析結果をチップ指標の定義ではなくチップ指標「４」に属する各判定対象チップの要素としてもよい。例えば、チップ指標の分類は「０」から「４」の５種類とし、チップ指標「４」の分類としてレベル「１」から「３」を設けるなどである。
【０１０３】
上記実施例の判定ステップでは、チップ指標ごとに判定用範囲を設けて、集中不良分布に属する不良チップから判定用範囲内にあるチップを追加不良チップと判定する方法を述べたが、判定ステップの実施形態は他にもいろいろある。
【０１０４】
例えば、判定対象ステップの他の例は、本発明の良品チップ分類方法により集中不良分布近傍領域内の判定対象チップをチップ指標に分類した後、予め定められた判定用チップ指標と同じチップ指標をもつ判定対象チップを追加不良チップと判定するものである。例えば、判定用チップ指標を「３」以上、すなわち判定用チップ指標「３」，「４」，「５」，「６」，「７」とし、判定用チップ指標と同じチップ指標に属する判定対象チップを追加不良チップと判定する。ここで、チップ指標が「２」以下であっても、集中不良分布に属する不良チップに隣接する良品チップについては追加不良チップと判定することが好ましい。
【０１０５】
また、他の判定ステップとしては集中不良分布近傍領域内の判定対象チップに対して集中不良分布が及ぼす影響を指数化するとともにチップ指標ごとに指数のしきい値を設定しておき、指数としきい値を比較して追加不良チップを判定する方法である。
【０１０６】
図１７はチップ品質判定方法のさらに他の実施例を説明するためのフローチャートである。図１８及び図１９はこの実施例で設定される集中不良分布近傍領域を拡大して示す図である。図１７から図１９を参照してこの実施例を説明する。ステップＳ１〜ステップＳ５−５は、上記ステップＳ１〜ステップＳ５−５と同じであるので説明は省略する。
【０１０７】
ステップＳ５−６：第４分類ステップＳ５−５の後、判定対象チップごとに、その判定対象チップから所定範囲内かつ集中不良分布近傍領域Ｂ内にある不良チップの個数を算出し、その個数を近傍不良チップ指数とする（近傍不良チップ指数算出ステップ）。この実施例では、近傍不良チップ指数算出ステップＳ５−６での所定範囲を判定対象チップの周囲２チップ分の矩形とした。図１８に近傍不良チップ指数算出ステップＳ５−６で算出した近傍不良チップ指数の結果を示す。なお、集中不良分布近傍領域設定ステップＳ５−６は、集中不良分布近傍領域設定ステップＳ４と下記判定ステップＳ６−４の間であれば、どのタイミングで行なってもよい。
【０１０８】
ステップＳ６−４：チップ指標ごとに予め設定された近傍不良チップ指数しきい値以上の近傍不良チップ指数をもつ判定対象チップを追加不良チップと判定する（判定ステップ）。一例として、この実施例では、近傍不良チップ指数しきい値を、チップ指標「６」、「７」については「０」、チップ指標「５」については「５」、チップ指標「４」については「６」、チップ指標「３」については「１０」、チップ指標「２」については「１２」、チップ指標「０」、「１」については判定対象外とした。図１５に示した集中不良分布近傍領域Ｂにおけるチップ指標及び上記近傍不良チップ指数しきい値を用いて追加不良チップを判定した。図１９に追加不良チップをシボで表示した結果を示す。追加不良チップは追加インク打ち対象チップとして処理される。ここで、判定ステップＳ６−４は、集中不良分布Ａに属する不良チップに隣接する良品チップについては追加不良チップと判定するようにしてもよい。
【０１０９】
図２０はチップ品質判定方法のさらに他の実施例を説明するためのフローチャートである。図２１及び図２２はこの実施例で設定される集中不良分布近傍領域を拡大して示す図である。図２０から図２２を参照してこの実施例を説明する。ステップＳ１〜ステップＳ５−５は、上記ステップＳ１〜ステップＳ５−５と同じであるので説明は省略する。
【０１１０】
ステップＳ５−７：第４分類ステップＳ５−５の後、判定対象チップごとに、Ｘ軸方向及びＹ軸方向での４方向における集中不良分布近傍領域内の不良チップまでの最短距離を算出し、その最短距離を不良チップまでの距離指数とする（不良チップまでの距離指数算出ステップ）。図２１に不良チップまでの距離指数算出ステップＳ５−７で算出した不良チップまでの距離指数の結果を示す。なお、不良チップまでの距離指数算出ステップＳ５−７は、集中不良分布近傍領域設定ステップＳ４と下記判定ステップＳ６−５の間であれば、どのタイミングで行なってもよい。
【０１１１】
ステップＳ６−５：チップ指標ごとに予め設定された不良チップまでの距離指数しきい値以下の不良チップまでの距離指数をもつ判定対象チップを追加不良チップと判定する（判定ステップ）。一例として、この実施例では、不良チップまでの距離指数しきい値を、チップ指標「７」については「３」、チップ指標「４」、「５」、「６」については「２」、チップ指標「０」、「１」、「２」、「３」については判定対象外とした。図１５に示した集中不良分布近傍領域Ｂにおけるチップ指標及び上記不良チップまでの距離指数しきい値を用いて追加不良チップを判定した。図２２に追加不良チップをシボで表示した結果を示す。追加不良チップは追加インク打ち対象チップとして処理される。ここで、判定ステップＳ６−５は、集中不良分布Ａに属する不良チップに隣接する良品チップについては追加不良チップと判定するようにしてもよい。
【０１１２】
不良チップまでの距離指数算出ステップＳ５−７では、図２１をみて分かるように、集中不良分布Ａの角に位置する判定対象チップの指数が隣の判定対象チップの指数と大きく異なることがある。しかし、チップ指標「４」以上の次元では有効な判断材料として用いることができる。また、不良チップまでの距離指数は分類ステップＳ５の際に同時に算出することも可能なのでデータ処理の時間短縮としては有効な手法である。
【０１１３】
ここでは、Ｘ軸方向及びＹ軸方向での４方向での不良チップまでの最短距離を算出して指数としたが、Ｘ軸方向及びＹ軸方向にとらわれない不良チップまでの最短距離は、各判定対象チップをぐるりと１周２周と集中不良分布に属する不良チップの有無を確認するだけで簡単に求めることができるのでこれを不良チップまでの指数と用いてもよい。より詳細には、各周の確認はまずＸ軸方向及びＹ軸方向の４方向を確認し、次に斜め４５度方向の確認というように、各チップ中心間の距離が徐々に離れていくように確認することが好ましい。
【０１１４】
上記の実施例では、説明を理解し易くするために、集中不良分布Ａに属する全ての不良チップを含みかつ最小の矩形の領域の外周に１チップ分加えた矩形領域を集中不良分布近傍領域Ｂとして切り出した。しかし、集中不良分布近傍領域は集中不良分布に属する全ての不良チップを含む領域であれば特に大きさや形状にこだわらない。
【０１１５】
例えば、集中不良分布に属する全ての不良チップを含みかつ最小の矩形領域を集中不良分布近傍領域とした場合、当然であるが集中不良分布近傍領域外で不良チップに隣接する良品チップの判定ができなくなる。しかし、集中不良分布近傍領域外であっても集中不良分布に属する不良チップから所定範囲内にある良品チップを追加不良チップと判定する判定ステップを用いるのであれば、不良チップに隣接する良品チップは追加インク打ち対象となる。集中不良分布に属する全ての不良チップを含みかつ最小の矩形領域を集中不良分布近傍領域とする場合は、上記実施例での集中不良分布近傍領域Ｂに比べて判定対象チップ数が少なくなるので、データ処理時間を短縮することができる。
【０１１６】
また、自動的に追加不良チップを判定した場合、追加インク打ち対象チップとなる追加不良チップが予想以上に多くなってしまうことがある。
このような不具合を解消するためには、判定ステップの後に、判定ステップの判定結果の妥当性を確認する判定妥当性確認ステップを行なうことが好ましい。
【０１１７】
判定妥当性確認ステップの例として、集中不良分布近傍領域内にある集中不良分布に属する不良チップ数と追加不良チップ数の差又は比率に基づいて判定ステップの判定の妥当性を確認する方法を挙げることができる。これにより、判定ステップで必要以上に追加不良チップを設定しまった場合にそれらの追加不良チップの全部が追加インク打ち対象チップになってしまうという不具合を防止できる。ここで、集中不良分布に属する不良チップの個数に応じて判定基準を異ならせるようにすれば、集中不良分布の規模に応じて判定妥当性確認ステップを行なうことができ、判定ステップの判定の妥当性を適切に確認することができる。
【０１１８】
例えば、図２を参照して説明した上記ステップＳ１〜ステップＳ６により算出した追加不良チップは図５のシボで示したチップ指標「３」及び「４」の判定対象チップである。図５において、集中不良分布近傍領域Ｂ内にある集中不良分布Ａに属する不良チップ数は「１０３」、追加不良チップ数は「８６」である。
【０１１９】
上記判定妥当性確認ステップでは、例えば、集中不良分布近傍領域内にある集中不良分布に属する不良チップ数と追加不良チップ数の差がしきい値「１０」以上のときは妥当であると判断する。集中不良分布近傍領域Ｂでは不良チップ数と追加不良チップ数の差は「１７」なので、集中不良分布近傍領域Ｂに対する判定ステップＳ６の判定は妥当と判断できる。
【０１２０】
また、判定妥当性確認ステップにおいて、集中不良分布近傍領域内にある不良チップ数と追加不良チップ数の比率に基づいて判定ステップの妥当性を確認してもよい。例えば、（追加不良チップ）／（集中不良分布に属する不良チップ）＜１であれば妥当であると判断する。集中不良分布近傍領域Ｂでは、（追加不良チップ）／（集中不良分布Ａに属する不良チップ）＝８６／１０３＜１なので、集中不良分布近傍領域Ｂに対する判定ステップＳ６の判定は妥当と判断できる。
なお、判定妥当性確認ステップによって不適当と判断されれば、別のアルゴリズムで追加不良チップを求めればいい。
【０１２１】
また、他の判定妥当性確認ステップの例として、集中不良分布近傍領域内で同一のチップ指標をもつ追加不良チップをＸ軸方向及びＹ軸方向での４方向又はそれに斜め４５度方向を加えた８方向での連続性に基づいてチップ指標グループに分別し、チップ指標グループに属する全ての追加不良チップを含みかつ最小の矩形の領域の外周に１チップ分以上加えた矩形領域内にある不良チップ数と追加不良チップ数の差又は比率に基づいて判定ステップの判定の妥当性を確認する方法を挙げることができる。これにより、より精度の高い判定妥当性の確認を行なうことができる。ここで、チップ指標グループに属する追加不良チップのチップ指標に応じて判定基準を異ならせるようにすれば、判定妥当性の確認をより精度よく行なうことができる。
この判定妥当性確認ステップは、チップ指標別に追加不良チップを連続性によりグループ化し、グループ指定で追加インク打ち対象とする場合に有効な手法である。
【０１２２】
図２３はチップ品質判定方法のさらに他の実施例を説明するためのフローチャートである。図２４及び図２５はこの実施例で設定される集中不良分布近傍領域を拡大して示す図である。図２３から図２５を参照してこの実施例を説明する。ステップＳ１〜ステップＳ６は、図２を参照して説明した上記ステップＳ１〜ステップＳ６と同じであるので説明は省略する。
【０１２３】
ステップＳ７：集中不良分布近傍領域Ｂ内で同一のチップ指標をもつ判定対象チップをＸ軸方向及びＹ軸方向での４方向又はそれに斜め４５度方向を加えた８方向での連続性に基づいてチップ指標グループに分別する（チップ指標グループ分別ステップ）。集中不良分布近傍領域設定ステップステップＳ４で算出したチップ指標（図４参照）において、チップ指標「３」に注目すると、集中不良分布近傍領域Ｂ内でチップ指標「３」をもつ追加不良チップを３つのチップ指標グループ「ａ」、「ｂ」、「ｃ」に分別できる。図２４に、チップ指標グループに分別した結果を示す。
【０１２４】
ステップＳ８：チップ指標グループ「ａ」、「ｂ」、「ｃ」のそれぞれについて、チップ指標グループに属する全ての追加不良チップを含みかつ最小の矩形の領域の外周に１チップ分以上、ここでは２チップ分加えた判定妥当性確認用の矩形領域内にある集中不良分布Ａに属する不良チップ数と追加不良チップ数の差又は比率に基づいて判定ステップの判定の妥当性を確認する（判定妥当性確認ステップ）。
【０１２５】
図２５に、チップ指標グループ「ａ」に対して判定ステップの判定妥当性を確認するための矩形領域Ｃを示す。
チップ指標グループ「ａ」に対する判定妥当性確認用の矩形領域Ｃにおいて、集中不良分布Ａに属する不良チップ数は「４２」、追加不良チップ数は「３６」である。ステップＳ８では、例えば、集中不良分布に属する不良チップ数と追加不良チップ数の差がしきい値「５」以上のチップ指標グループは妥当であると判断する。チップ指標グループ「ａ」に対する判定妥当性確認用の矩形領域Ｃでは集中不良分布Ａに属する不良チップ数と追加不良チップ数の差は「６」なので、チップ指標グループ「ａ」に対する判定ステップの判定は妥当と判断できる。
【０１２６】
同様に、チップ指標グループ「ｂ」に対する判定妥当性確認用の矩形領域では集中不良分布Ａに属する不良チップ数が「１３」、追加不良チップ数が「１」であり、その差は「１２」なので、チップ指標グループ「ｂ」に対する判定ステップの判定は妥当と判断できる。
【０１２７】
また、チップ指標グループ「ｃ」に対する判定妥当性確認用の矩形領域では集中不良分布Ａに属する不良チップ数が「３０」、追加不良チップ数が「１６」であり、その差は「１４」なので、チップ指標グループ「ｃ」に対する判定ステップの判定は妥当と判断できる。
【０１２８】
また、判定妥当性確認ステップＳ８において、判定妥当性確認用の矩形領域内にある不良チップ数と追加不良チップ数の比率に基づいて判定ステップの妥当性を確認してもよい。例えば、（追加不良チップ）／（集中不良分布に属する不良チップ）＜１であれば妥当であると判断する。判定妥当性確認用の矩形領域Ｃでは、（追加不良チップ）／（集中不良分布Ａに属する不良チップ）＝３６／４２＜１なので、チップ指標グループ「ａ」に対する判定ステップの判定は妥当と判断できる。
【０１２９】
同様に、チップ指標グループ「ｂ」に対する判定妥当性確認用の矩形領域では集中不良分布Ａに属する不良チップ数が「１３」、追加不良チップ数が「１」であり、（追加不良チップ）／（集中不良分布Ａに属する不良チップ）＝１／１３＜１なので、チップ指標グループ「ｂ」に対する判定ステップの判定は妥当と判断できる。
【０１３０】
また、チップ指標グループ「ｃ」に対する判定妥当性確認用の矩形領域では集中不良分布Ａに属する不良チップ数が「３０」、追加不良チップ数が「１６」であり、（追加不良チップ）／（集中不良分布Ａに属する不良チップ）＝１６／３０＜１なので、チップ指標グループ「ｃ」に対する判定ステップの判定は妥当と判断できる。
【０１３１】
チップ指標「０」、「１」、「２」、「４」についても同様の処理を行なう。ここで、チップ指標に応じて妥当性の判断基準を変えてもよい。なお、あるチップ指標グループにおいて追加不良チップが存在しない場合は、そのチップ指標グループに対しては判定妥当性確認用の矩形領域を形成できないので、妥当、不適当の判定は行なわない。
このようにチップ指標グループごとに判定の妥当性確認を行なうことはより精度の高い妥当性確認へとつながる。
【０１３２】
判定妥当性確認ステップＳ８で判定ステップの判定が不適当と判断されたチップ指標グループが存在する場合は、例えば別のアルゴリズムで追加不良チップを求める処理に戻る。
また、判定妥当性確認ステップＳ８で、すべてのチップ指標グループの判定妥当性を判断が終了する前に、いずれかのチップ指標グループで判定ステップの判定が不当であると判断した場合には、残りのチップ指標グループの判定妥当性確認処理を行なわなくてもよい。
【０１３３】
また、この実施例では、判定妥当性確認用の矩形領域内にある不良チップ数と追加不良チップ数の差に基づいて判定妥当性確認ステップＳ８を行なったが、不良チップ数と追加不良チップ数の比率に基づいて判定妥当性確認ステップＳ８を行なってもよい。
【０１３４】
また、この実施例では、チップ指標グループ分別ステップＳ７及び判定妥当性確認ステップＳ８は、判定ステップＳ６での判定の妥当性の確認をしているが、上記判定ステップＳ６−１〜Ｓ６−５のいずれにも適用できることは言うまでもない。
【０１３５】
ところで、本発明のアルゴリズムは処理すべき集中不良分布を明確にすることから始まる。経験上、ウエハ周辺とそれ以外の領域では品質低下の危惧の程度が異なるため、ウエハ周辺とそれ以外の領域で処理対象とする集中不良分布の判定の基準を異ならせることが好ましい。
【０１３６】
図２６はウエハテスト工程の最終的なウエハテスト結果の他の例である。
ウエハテストで良品チップと判定されたチップは無印、不良チップと判定されたチップは×印で示されている。また、チップ配列で最外周に位置しているチップをウエハ周辺チップＭとする。ウエハ周辺チップＭは強制マークチップである。なお、ウエハ周辺チップは必ずしも強制マークチップとされるものではなく、ウエハ周辺チップを判定対象チップとすることもできる。
【０１３７】
不良チップ分別ステップにより、ウエハテスト結果に基づいて各不良チップについて隣接する不良チップの存在の確認を行ない、隣接する不良チップは同じグループに属するように不良チップを不良グループに分別する。図２６に示したウエハテスト結果では９つの不良グループに分別される。
【０１３８】
次に、集中不良分布判定ステップにより、各不良グループについてその不良グループに属する不良チップ数と予め設定された不良チップ数しきい値を比較し、不良チップ数が不良チップ数しきい値以上のときにその不良グループを集中不良分布と判定する。
ここで、８個の不良チップからなる不良グループ「Ｇ１」はウエハ中央部に分布している。したがって、８チップ程度の規模であれば特に集中不良分布として処理する必要はない。
【０１３９】
これに対し、８個の不良チップからなる不良グループ「Ｇ２」は不良グループ「Ｇ２」に属する不良チップのうち２個がウエハ周辺チップＭに隣接している。不良グループ「Ｇ２」はウエハ周辺に位置しているので、８チップ程度の規模であってもウエハ周辺での影響を考えると集中不良分布として処理する必要があると言える。特に、ウエハテストで不良チップと判定されたテスト項目が最初のロジックテストの場合、経験上、ウエハ周辺部における不良チップでは異物等によるパターン欠陥であることが多く、その不良チップの近傍のチップの品質は低下することが分かっている。したがって、集中不良分布判定ステップにおいて集中不良分布と判定する際の不良チップ数しきい値は判定対象の不良グループの位置、例えばウエハ周辺部とウエハ中央部によって異ならせることが好ましい。さらに、ウエハ周辺部については、不良グループに属する不良チップのうち少なくとも１つがウエハ周辺チップＭに隣接している不良グループと、いずれの不良チップもウエハ周辺チップＭには隣接していない不良グループで不良チップ数しきい値を異ならせることが好ましい。
【０１４０】
例えば、ウエハ周辺チップＭに隣接している不良グループについては不良チップ数しきい値を「８」とする。また、ウエハ周辺チップＭには隣接していないが、少なくとも１つの不良チップがウエハ周辺チップＭから所定範囲内、例えば３チップ分の矩形領域内に位置しているウエハ周辺部の不良グループについては不良チップ数しきい値を「１０」とする。また、不良グループに属する全ての不良チップがウエハ周辺チップＭから所定範囲内、例えば３チップ分の矩形領域内には位置していないウエハ中央部の不良グループについては不良チップ数しきい値を「２０」とする。ただし、これらの不良チップ数しきい値及びウエハ周辺チップＭから所定範囲は一例であり、本発明はこれに限定されるものではない。例えば、ウエハにおける不良グループの位置に対する不良チップ数しきい値は２種類であってもよいし、４種類以上であってもよい。
【０１４１】
上記判定基準を用いた集中不良分布判定ステップによれば、図２６に示したウエハテスト結果において、不良グループ「Ｇ２」，「Ｇ３」は集中不良分布と判定され、不良グループ「Ｇ１」，「Ｇ４」，「Ｇ５」は集中不良分布とは判定されない。
【０１４２】
なお、ウエハ周辺隣接チップ及びウエハ周辺チップはチップレイアウトで決定するので、各チップにウエハ周辺隣接チップなのかウエハ周辺チップなのかそれ以外のチップなのかを予め属性情報としてもたすことができる。よって、不良グループに属する不良チップの属性を調べれば、その不良グループがウエハ周辺に対してどのような位置関係であるかは簡単に判断できる。
また、ウエハ周辺隣接チップ又はウエハ周辺チップであるかの判断は、チップレイアウトで予め識別しておかなくても、例えば特許文献１に開示されたアルゴリズム１Ａにより簡単に求めることができる。
【０１４３】
ところで、異物によるパターン欠陥による不良チップの分布は実に多様で決して情報処理を行なう者にとって都合のいい分布ばかりではない。例えば図２６の不良グループ「Ｇ３」，「Ｇ４」，「Ｇ５」の不良グループ郡は情報処理を行なう者にとって実に都合の悪い例である。
【０１４４】
図２７から図２９は、図２６における不良グループ「Ｇ３」，「Ｇ４」，「Ｇ５」の近傍領域を拡大して示す図である。
図２７から図２９において、ウエハテストで良品チップと判定されたチップは無印、不良チップと判定されたチップは×印、強制マークチップであるウエハ周辺チップはＭで示されている。
【０１４５】
図２７に示した領域において、上述のように不良チップ分別ステップによって不良グループに分別すると、３つの不良グループ「Ｇ３」，「Ｇ４」，「Ｇ５」に分別される。図２８に不良グループに分別した結果を示す。
集中不良分布判定ステップにより、不良グループ「Ｇ３」，「Ｇ４」，「Ｇ５」について判定すると、上述のように、不良グループ「Ｇ３」のみが集中不良分布と判定される。
【０１４６】
集中不良分布である不良グループ「Ｇ３」に対し、図２を参照して説明した集中不良分布近傍領域設定ステップＳ４、分類ステップステップＳ５及び判定ステップＳ６と同様にして追加不良チップを求める。図２９に集中不良分布近傍領域を太枠で示し、チップ指標を数字で示し、追加不良チップをシボで示す。
【０１４７】
図２９に示した判定結果では、概ね良好と思える判定が行なわれているように思うが、経験上追加インク打ち対象となる良品チップ１０９，１１１は対象外となってしまっている。良品チップ１０９については、判定ステップＳ６でチップ指標「２」について判定用範囲を周囲２チップ分の矩形領域とすれば、追加不良チップとして判定できる。しかし、良品チップ１１１は、不良グループ「Ｇ３」に対する集中不良分布近傍領域の外に位置しているので、追加不良チップとは判定できない。
【０１４８】
このような不具合を解消する方法として、不良チップ分別ステップは、各不良チップについて所定範囲内にある他の不良チップの存在の確認を行ない、隣接する不良チップのみならず所定範囲内に位置する不良チップも同じグループに属するように不良チップを不良グループに分別する方法を挙げることができる。
【０１４９】
図２６に示したウエハテスト結果において、例えば周囲２チップ分の矩形領域内に位置する不良チップを同じグループに属すると判定する不良チップ分別ステップを用いれば、上記不良チップ分別ステップでは３つの不良グループ「Ｇ３」，「Ｇ４」，「Ｇ５」に分別された不良チップは１つの不良グループに分別される。この不良グループに対して、図２を参照して説明した集中不良分布判定ステップＳ３、集中不良分布近傍領域設定ステップＳ４、分類ステップステップＳ５及び判定ステップＳ６と同様にして追加不良チップを求めると、経験上追加インク打ち対象となる良品チップ１１１を追加不良チップと判定することができる。
【０１５０】
また、上記不具合を解消する他の方法として、集中不良分布判定ステップは、集中不良分布と判定した不良グループから所定範囲内に位置する不良チップもしくは他の不良グループ又はその両方も併合して集中不良分布と判定する方法を挙げることができる。
【０１５１】
図２６に示したウエハテスト結果において、例えば集中不良分布と判定した不良グループ「Ｇ３」から周囲２チップ分の矩形領域内に位置する不良グループ「Ｇ４」も併合して集中不良分布と判定することができる。この集中不良分布に対して、図２を参照して説明した集中不良分布近傍領域設定ステップＳ４、分類ステップステップＳ５及び判定ステップＳ６と同様にして追加不良チップを求めると、経験上追加インク打ち対象となる良品チップ１１１を追加不良チップと判定することができる。
【０１５２】
また、集中不良分布判定ステップにおいて、上記併合する作業を繰り返し処理するようにすれば、不良グループ「Ｇ３」，「Ｇ４」からなる集中不良分布に不良グループ「Ｇ５」を併合することができる。
なお、これらの不具合解消方法は、図２を参照して説明したアルゴリズム以外の上記アルゴリズムにも適用できる。
【０１５３】
次に、コンピュータを用いたシステム化について説明する。
図３０は、品質判定システムの一例を示す概略構成図である。この品質判定システムは、テスト時プローバーに備えられたインカー機能を用いないで、マーキングプローバーを用いてインク打ちを行なうものである。
【０１５４】
プローバー１６にウエハが配置され、ウエハ上の検査対象チップの電極にプローブ針を接触させた状態でテスター１５から電力供給及び試験信号供給が行なわれてウエハテストが実施される。ウエハテスト結果はプローバー１６から情報管理用ワークステーション１７に送られる。ウエハテスト結果をマーキングプローバー１９へ直接送る構成であってもよいが、通常、テスター１５、プローバー１６及びマーキングプローバー１９は複数台備えられているので、ウエハテスト結果を情報管理用ワークステーション１７に一旦集める方が合理的である。
【０１５５】
作業者は、情報管理用ワークステーション１７でウエハテスト結果を確認し、手作業で追加インク打ち判定及びマーキングデータの作成を行なう。この作業はＸ端末１８を用いて行なわれることもある。マーキング対象を確定させた後、マーキングプローバー１９にロットをかける。マーキングプローバー１９は情報管理用ワークステーション１７からマーキングデータを読み込み、ウエハテスト結果に基づく不良チップ及び追加インク打ち判定で設定された不良チップに対してインク打ちを行なう。
【０１５６】
図３１は、本発明のマーキング機構を含む品質判定システムの一例を示す概略構成図である。
情報管理用ワークステーション１７にパーソナルコンピュータ２０が接続されている。パーソナルコンピュータ２０には、本発明のチップ品質判定方法をコンピュータに実行させるための品質判定プログラムを組み込んだアプリケーションソフトがインストールされている。その他の構成は図３０に示した品質判定システムと同様である。図３０に示した品質判定システムと同様に、ウエハテスト結果はプローバー１６から情報管理用ワークステーション１７に送られる。
【０１５７】
ウエハテスト結果には、各チップの座標情報、合否情報、不良カテゴリー情報等が含まれ、情報管理用ワークステーション１７ではウエハテスト結果に関連付けてショットレイアウト情報、ショット範囲内レイアウト位置情報、不良チップ多発範囲情報等が保持されている。マーキングプローバー１９は本発明のマーキング機構のマーキング部を構成し、情報管理用ワークステーション１７、マーキングプローバー１９の動作を制御する制御部、及びパーソナルコンピュータ２０は本発明のマーキング機構の制御部を構成する。
【０１５８】
図３２に本発明の品質判定プログラムを組み込んだアプリケーションソフトの一例のフローチャートを示す。このアプリケーションソフトは、上記で説明したアルゴリズムによる追加インク打ちチップ判定に関する自動判定結果をパーソナルコンピュータ２０の画面上に表示し、さらに作業者による追加インク打ち対象チップの変更ができるものである。
【０１５９】
まず、プログラムはウエハテスト結果の読み込みを行なう（ステップＳ１１）。ウエハテスト結果より処理対象データに必要な基礎情報の読み込みを行なう（ステップＳ１２）。基礎情報とは、チップレイアウトやチップサイズ、品質判定の方法や判定に用いられる閾値、妥当性確認の方法や合否基準などの情報である。
【０１６０】
ウエハ上の集中不良分布の検出を行なう（ステップＳ１３）。
図３３は、集中不良分布検出ステップＳ１３について説明するためのフローチャートである。
【０１６１】
まず、ウエハ上の不良チップを不良グループに分別するために分別方法が選択される（ステップＳ３１）。選択すべき分別方法は先に述べた基礎情報の一部としてもよいしオペレータが選択してもよい。
【０１６２】
例えば、不良グループ分別方法１では、図２を参照して説明した不良チップ分別ステップＳ２を用いて不良チップを不良グループに分別する（ステップＳ３２）。
【０１６３】
グループ分別方法２では、各不良チップについて所定範囲内にある他の不良チップの存在の確認を行ない、隣接する不良チップのみならず所定範囲内に位置する不良チップも同じグループに属するように不良チップを不良グループに分別する上記不良チップ分別ステップを用いて不良チップを不良グループに分別する（ステップＳ３３）。
【０１６４】
次に、状況に応じて最適な判定を行なうために、ステップＳ３２又はＳ３３で分別した各不良グループがチップ配列の最外周に位置するウエハ周辺チップとどのような関係にあるかの情報を持たせて不良グループを分類する（ステップＳ３４）。
ウエハ周辺近傍のチップは異物によるパターン欠陥が多い。つまり、ウエハ周辺近傍とウエハ中央部では状況が異なるのである。このような理由により、この実施例では不良グループをウエハ周辺隣接とウエハ周辺近傍とそれ以外（ウエハ中央部）に分類する。
【０１６５】
不良グループの分類方法としては不良グループに属するチップの属性を調べればよい。チップの属性はチップレイアウトで決まるので先に述べた基礎情報の一部としてもよいし、不良グループ分別後、各不良グループにおいてウエハ周辺チップとの関係を座標情報より求めてもよい。また、不良グループの分類をウエハ周辺隣接とそれ以外に分類するのであれば、不良グループ分別時の情報で判断できる。
【０１６６】
次に集中不良分布の判定を行なう（ステップＳ３５）。これは品質に影響を及ぼさない小規模な不良グループを処理の対象から外すために行なうものである。先に求めた不良グループ分類ごとに対象となる基準を先に述べた基礎情報の一部として設定しておけば、不良グループ分類ごとに異なる規模の不良グループを判定対象の集中不良分布として判定できる。
【０１６７】
次に不良グループの併合を行なうかどうかを判断する（ステップＳ３６）。不良グループの併合を行なう場合（Ｙｅｓ）、ステップＳ３７に進んで不良グループの併合を行なう。これは、ウエハ周辺近辺の不良は異物によるパターン欠陥が多い。このような不良の場合、小規模な不良グループが近い位置関係で複数分布する傾向がある。これらの小規模な不良グループは経験上１つのグループとした方が理想的な判定が行なえるからである。
【０１６８】
併合処理としては、全不良グループ、もしくは、集中不良分布と判定されたグループにおいて所定の範囲にその不良グループに属さない不良チップがあるかを確認してあれば同一グループとみなす処理の例を挙げることができる。なお、集中不良分布と判定された不良グループを対象に併合処理をする場合は、併合後広がった領域に対しても所定の範囲にその不良グループに属さない不良チップがあるかを確認してあれば、更に併合する処理を行なうか、最初の処理をくり返して最終的な不良グループ分別を行なう。
【０１６９】
また、併合処理においては、併合対象の不良グループの規模やその不良グループに属する不良チップの不良となったテスト項目に基づいて併合を行なうか否かを判断してもよい。なお、併合処理を行なうかどうかや、併合処理を行なうときの所定の範囲や併合対象とする不良グループの規模等は定数でもよいし、先に述べた基礎情報の一部としてもよい。
【０１７０】
これらの処理により、集中不良分布の検出情報を不良グループリストとし、以後の処理で用いる。各不良グループが併合処理により領域を広げた不良グループなのか、併合対象がなく変化のなかった不良グループなのかも不良グループリスト情報として以後の処理で用いられる。
ステップＳ３６で不良グループを併合しない選択をしたとき（Ｎｏ）、又はステップＳ３７で不良グループの併合を行なうことにより、集中不良分布の検出処理は終わる。
【０１７１】
図３２に戻って説明を続ける。ステップＳ１３で検出された集中不良分布に対し、集中不良分布ごとに集中不良分布近傍領域を設定し、集中不良分布近傍領域内の判定対象チップについてチップ指標分類を行なう（ステップＳ１４）。
【０１７２】
次に集中不良分布近傍領域の設定及びチップ指標分類の説明を行なう。
図３４は、チップ指標分類ステップＳ１４を説明するためのフローチャートである。
【０１７３】
不良グループリストに従い、対象の集中不良分布を選定し、集中不良分布近傍領域の設定を行なう（ステップＳ４１）。集中不良分布近傍領域は、図２を参照して説明した集中不良分布近傍領域設定ステップＳ４により、集中不良分布に属する全ての不良チップ及び近傍の良品チップを含む所定範囲に設定される。
【０１７４】
設定された集中不良分布近傍領域において良品チップを判定対象チップし、判定対象チップをチップ指標に分類する（基本分類という。ステップＳ４２）。ここで基本分類とは、図２を参照して説明した分類ステップＳ５であり、集中不良分布近傍領域内の判定対象チップは理論上５種類のチップ指標「０」〜「４」に分類される。
【０１７５】
次に拡張分類を行なう（ステップＳ４３）。これはチップ指標「４」を更に細かく分類するものである。拡張分類で行なう処理は、図６を参照して説明した第２分類ステップＳ５−１、図９を参照して説明した４方向判定対象チップ分別ステップＳ５−２及び第３分類ステップＳ５−３、図１３を参照して説明した８方向判定対象チップ分別ステップＳ５−４及び第４分類ステップＳ５−５である。第４分類ステップＳ５−５まで処理を行なうと、チップ指標「４」は４種類に分類される。この実施例では、この情報をチップ指標「４」の細分化情報として処理し、集中不良分布近傍領域内をチップ指標「０」から「７」に分類する。これらの分類処理はデータ処理において集中不良分布近傍領域内の判定対象チップのチップ指標情報を用いて行なうので、当然チップ指標によるチップ選定は可能となる。
なお、集中不良分布近傍領域内に位置する、集中不良分布に属さない不良チップは、基本分類ステップＳ４２及び拡張分類ステップＳ４３において良品チップと仮定して処理を行なう。
【０１７６】
次に各集中不良分布近傍領域について、チップ指標ごとに座標上の連続性を用いてグループ分別し、チップ指標グループを設定する（ステップＳ４４）。この処理は、図２３を参照して説明したチップ指標グループ分別ステップＳ７と同じである。グループ分別に用いる連続性であるが、斜め方向の連続性を考慮するかしないかは状況により選択すればよい。例えば、不良チップに閉塞される状況となるチップ指標「４」以上に分類されたチップ指標に属する判定対象チップでは全てのチップを追加インク打ち対象とすることが多いので斜め方向を考慮せずにグループ化した方が後述する判定の妥当性確認の精度があがることがある。
以上で集中不良分布近傍領域の設定及びチップ指標分類の処理は終わる。
【０１７７】
チップ指標分類の処理により、チップ指標別グループリストが作成され、以後の処理に活用される。
チップ指標分類の説明において使われた所定の範囲等は、定数でもよいし、先に述べた基礎情報の一部としてもよい。
【０１７８】
なお、この実施例において、集中不良分布に属する不良チップは、基本分類及び拡張分類による分類の対象外とした。集中不良分布に属する不良チップを分類の対象としても期待する結果を得られるが、以後のデータ処理が複雑になるだけで余り利点はない。
【０１７９】
図３２に戻って説明を続ける。ステップＳ１４で設定した集中不良分布近傍領域に対し、チップ品質判定、チップ品質判定の妥当性確認及び妥当性判定を行なう（ステップＳ１５）。
この実施例では、チップ品質判定、チップ品質判定の妥当性確認及び妥当性判定を集中不良分布近傍領域ごとに、かつチップ指標グループごとに行なうが、これは限定されたものではなく、集中不良分布近傍領域ごとに行なってもよい。
【０１８０】
図３５は、チップ品質判定、チップ品質判定の妥当性確認及び妥当性判定ステップＳ１５を説明するためのフローチャートである。
【０１８１】
チップ指標別グループリストの情報をもとに、判定を行なう集中不良分布近傍領域及びチップ指標を選択し（ステップＳ５１）、そのチップ指標をもつチップ指標グループを１つ選択する（ステップＳ５２）。
【０１８２】
次にチップ品質判定方法の選択ステップで、チップ指標情報などによりチップ品質判定のパターンを選択する（ステップＳ５３）。チップ品質判定のパターンは様々なチップ品質判定法を組み合わせたもので多様な形態がある。
【０１８３】
チップ品質判定法１は、予め定められた判定用チップ指標と同じチップ指標をもつ判定対象チップを追加不良チップと判定する方法である。これはチップ指標「６」、「７」に分類された判定対象チップに特に有効である。ここで、チップ指標ごとにチップ指標グループの規模にしきい値を設け、追加不良チップとするか否かを判定してもよい。
【０１８４】
チップ品質判定法２は、チップ指標ごとに予め定められた判定用範囲内に集中不良分布に属する不良チップが存在する判定対象チップを追加不良チップと判定する方法である。
【０１８５】
チップ品質判定法３は、判定対象チップごとに集中不良分布近傍領域内の不良チップまでの最短距離を算出し、その最短距離を不良チップまでの距離指数し、チップ指標ごとに予め設定された不良チップまでの距離指数しきい値以下の不良チップまでの距離指数をもつ判定対象チップを追加不良チップと判定する。原理としてはチップ品質判定法２と似ているが、集中不良分布との距離をもとに求めた距離指数に、チップ指数ごとに設けた係数をかけて一律のしきい値と比較して判定することも可能なので、品質判定法２よりもデータ処理は簡潔になるとともに処理速度も速くなる。
【０１８６】
チップ品質判定法４は、判定対象チップごとに、その判定対象チップから所定範囲内かつ集中不良分布近傍領域内にある不良チップの個数を近傍不良チップ指数とし、チップ指標ごとに予め設定された近傍不良チップ指数しきい値以上の近傍不良チップ指数をもつ判定対象チップを追加不良チップと判定する。チップ品質判定法４においても、チップ指数ごとに設けた係数を近傍不良チップ指数にかけて一律のしきい値と比較して判定することも可能である。
【０１８７】
なお、チップ品質判定法３、チップ品質判定法４に用いる指数は、チップ指数ごと又はチップ指数グループごとに求めるよりも、集中不良分布近傍領域内の判定対象チップに対して一度に求めたほうが効率がよいので、判定領域の選択ステップＳ５１以前に求めておいた方が効率はよくなる。
【０１８８】
チップ品質判定方法の選択ステップＳ５３では、チップ品質判定法１〜４のいずれか又はそれらのうちの複数の組合せからなる最大で１５通りのパターンを用意できる。例えばパターン１は品質判定法１だけであるが、パターン２は品質判定法３と品質判定法４により構成されている。また、複数の品質判定法を用いたパターン場合、それぞれの結果のＡＮＤをとるのかＯＲをとるのかなどの総合判定が行なわれる。
【０１８９】
ステップＳ５３で選択された品質判定法を用いたチップ品質判定の判定結果は、チップ品質判定の妥当性確認ステップにてその判定の妥当性が検証される（ステップＳ５４）。
判定妥当性確認方法としては、追加不良チップと判定されたチップ数と、追加不良チップと判定された全てのチップを含む最小の矩形領域より予め定められた分だけ広い矩形領域に含まれる集中不良分布に属する不良チップ数の差又は比率を予め定められたしきい値と比較してチップ品質判定結果の妥当性を確認する方法を挙げることができる。
【０１９０】
妥当性判定ステップＳ５５で、妥当性確認ステップＳ５４で不適当と判定されていると判断したときは、チップ品質判定方法の選択ステップＳ５３に戻り（ＮＧ）、チップ品質判定方法の他のパターンで再判定が行なわれる。
【０１９１】
妥当性判定ステップＳ５５で、妥当性確認ステップＳ５４で妥当と判定されていると判断したときは、次チップ指標グループ確認ステップＳ５６に進む（ＯＫ）。
また、妥当性確認ステップＳ５４で不適当と判定されていると判断したときであってもチップ品質判定方法の他のパターンが設定されていないときは次チップ指標グループ確認ステップＳ５６に進む（次設定なし）。
【０１９２】
最終的なチップ品質判定結果が妥当性確認ステップＳ５４で不適当と判断されたときの判定結果を有効にするか無効にするかは、先に述べた基礎情報の一部に設定しておいてもいいし、全て有効もしくは全て無効としてその旨を後述する画面表示ステップＳ１９（図３２参照）の際に表示してオペレータの介在に頼ってもよい。
【０１９３】
次チップ指標グループ確認ステップＳ５６で、同じ集中不良分布近傍領域内で同じチップ指標をもつ未判定のチップ指標グループがあると判断したとき（あり）、ステップＳ５２に戻り、その未判定のチップ指標グループについてステップＳ５２〜Ｓ５５の処理を行なう。
【０１９４】
次チップ指標グループ確認ステップＳ５６で、同じ集中不良分布近傍領域で同じチップ指標をもつ未判定のチップ指標グループがないと判断したとき（なし）、次チップ指標確認ステップＳ５７に進む。
【０１９５】
次チップ指標確認ステップＳ５７で、同じ集中不良分布近傍領域で未判定のチップ指標があると判断したとき（あり）、ステップＳ５１に戻り、その未判定のチップ指標についてステップＳ５１〜Ｓ５６の処理を行なう。
次チップ指標確認ステップＳ５７で、同じ集中不良分布近傍領域で未判定のチップ指標がないと判断したとき（なし）、妥当性確認ステップＳ５８に進む。
【０１９６】
妥当性確認ステップＳ５８では、集中不良分布近傍領域内の全てのチップ指標グループに対してチップ品質判定の妥当性確認を行なう。
妥当性判定ステップＳ５９により、妥当性確認ステップＳ５８で不適当と判定されていると判断したとき（ＮＧ）、判定領域の選択ステップＳ５１に戻り、チップ品質判定法の他のパターンで再判定が行なわれる。
【０１９７】
妥当性判定ステップＳ５９により、妥当性確認ステップＳ５８で妥当と判定されていると判断したとき（ＯＫ）、その集中不良分布の処理を終了し、次集中不良分布近傍領域確認ステップＳ６０に進む。
また、妥当性確認ステップＳ５８で不適当と判定されていると判断したときであってもチップ品質判定方法の他のパターンが設定されていないときは次集中不良分布近傍領域確認ステップＳ６０に進む（次設定なし）。
【０１９８】
ここでも、最終的なチップ品質判定結果が妥当性確認ステップＳ５４で不適当と判断されたときの判定結果を有効にするか無効にするかは、先に述べた基礎情報の一部に設定しておいてもいいし、全て有効もしくは全て無効としてその旨を後述する画面表示ステップＳ１９（図３２参照）の際に表示してオペレータの介在に頼ってもよい。
【０１９９】
次集中不良分布近傍領域確認ステップＳ６０で、未判定の集中不良分布近傍領域があると判断したとき（あり）、ステップＳ５１に戻り、その未判定の集中不良分布近傍領域についてステップＳ５１〜Ｓ５８の処理を行なう。
次集中不良分布近傍領域確認ステップＳ６０で、未判定の集中不良分布近傍領域がないと判断したとき（なし）、ウエハ全体でのチップ品質判定の妥当性確認ステップＳ１６（図３２参照）に進む。
【０２００】
図３２に戻って説明を続ける。妥当性確認ステップＳ１６では、ウエハ全体でのチップ品質判定の妥当性確認を行なう。
妥当性判定ステップＳ１７により、妥当性確認ステップＳ１６で不適当と判定されていると判断したとき（ＮＧ）、ステップＳ１４に戻り、集中不良分布ごとに集中不良分布近傍領域を設定し、集中不良分布近傍領域の分類を他の設定で行なう。ここで、ステップＳ１３に戻って集中不良分布の検出を他の設定で行なってもよい。
【０２０１】
妥当性判定ステップＳ１７により、妥当性確認ステップＳ１６で妥当と判定されていると判断したとき（ＯＫ）、そのウエハの処理を終了し、次ウエハ確認ステップＳ１８に進む。
また、妥当性確認ステップＳ１６で不適当と判定されていると判断したときであっても、ステップＳ１４又はステップＳ１３で他の設定がされていないときは次ウエハ確認ステップＳ１８に進む（次設定なし）。
【０２０２】
次ウエハ確認ステップＳ１８で、未判定のウエハがあると判断したとき（あり）、ステップＳ１３に戻り、その未判定のウエハについてステップＳ１３〜Ｓ１７の処理を行なう。
次ウエハ確認ステップＳ１８で、未判定のウエハがないと判断したとき（なし）、結果を画面に表示し、オペレータの確認を待つ（画面表示ステップＳ１９）。
【０２０３】
オペレータによる確認ステップＳ２０では、オペレータによる追加インク打ち対象チップの設定を行なうこともできる（ステップＳ２１）。また、オペレータにより、しきい値などの基礎情報修正を行ない（ステップＳ２２）、ステップＳ１３に戻って再判定もできる。ここで、再判定を行なうウエハをオペレータにより指定してもよいし、全ウエハについて再判定を行なうようにしてもよい。
【０２０４】
オペレータによる確認が終わると、チップ品質判定結果をもとにウエハテスト結果に追加不良チップを加える修正を自動で行なう（ステップＳ２３）。ウエハテスト結果の修正により、特定された追加不良チップを含むウエハ全体のマーキングデータ、又は特定された追加不良チップのみのマーキングデータからなる修正ウエハテスト結果が作成される。作成されたマーキングデータはマーキング機構を備えたテスター又はマーキングプローバーに送られ、インク打ちが実施される。
【０２０５】
以上説明したように、本発明のチップ品質判定方法によれば、一部に不良チップがあるウエハにおいて品質を保証しつつチップの品質を判定することができる。さらに、本発明のチップ品質判定プログラムによれば、本発明のチップ品質判定方法の各ステップをコンピュータに実行させることができるので、従来、問題のありそうなチップの選定に割いていた多大な人的工数をなくすことができ、さらに作業者の経験に頼っていた判断基準を改善できる。さらに、工数的な問題で追加インク打ちを行なっていなかった工場においても本発明のマーキング機構を用いた追加インク打ちシステムを用いることにより、ウエハ破棄による損失を抑えることができる。
【０２０６】
また、システムの構成としては、図３１に示したように、データのやり取りが可能になるように本発明のプログラムをインストールしたパソコンとテスターを接続してもいいし、テスター自身に本発明の良品チップ分類方法やチップ品質判定方法などによる再測定チップの選択機能を組み込んでもよい。
【０２０７】
ところで、上記実施例では、図４に示したように、集中不良分布近傍領域設定ステップで、集中不良分布Ａに属する全ての不良チップを含みかつ最小の矩形領域の外周に１チップ分以上加えた矩形領域を集中不良分布近傍領域Ｂとして設定している。
しかし、本発明を構成する集中不良分布近傍領域設定ステップにより設定される集中不良分布近傍領域はこれに限定されるものではない。
【０２０８】
例えば、集中不良分布近傍領域設定ステップにより設定される集中不良分布近傍領域は、集中不良分布に属する全ての不良チップを含みかつ最小の矩形領域であってもよいし、その矩形領域の外周に２チップ分以上加えた矩形領域であってもよいし、集中不良分布の外周に２チップ分以上加えた領域であってもよい。
【０２０９】
図３６に、図４と同じ集中不良分布Ａに対する集中不良分布近傍領域の他の例を示す。
この集中不良分布近傍領域Ｄは、図４と同じ集中不良分布Ａに対して、集中不良分布Ａの外周に２チップ分加えた領域である。このような集中不良分布近傍領域Ｄであっても、分類ステップ、第２、第３、第４の分類ステップ、判定ステップ、妥当性確認ステップは上記実施例と同様に行なえることは容易に推測できる。
【０２１０】
また、上記実施例では、図４に示したように、集中不良分布近傍領域Ｂ内にある良品チップを判定対象チップとし、判定対象チップごとにＸ軸方向及びＹ軸方向での４方向について集中不良分布Ａに属する不良チップが存在する方向の数を算出し、その方向数によって判定対象チップをチップ指標「０」、「１」、「２」、「３」、「４」に分類する分類ステップを採用している。
【０２１１】
しかし、本発明を構成する分類ステップはこれに限定されるものではなく、集中不良分布近傍領域内にある良品チップを判定対象チップとし、判定対象チップごとにＸ軸方向及びＹ軸方向での４方向に斜め４５度方向を加えた８方向ついて集中不良分布に属する不良チップが存在する方向の数を算出し、その方向数によって判定対象チップをチップ指標に分類するものであってもよい。
【０２１２】
図３７に、図４と同じ集中不良分布Ａ及び集中不良分布近傍領域Ｂで８方向ついて集中不良分布に属する不良チップが存在する方向の数を算出した結果を示す。
この分類ステップによれば、集中不良分布近傍領域Ｂ内の判定対象チップはチップ指標「１」〜「８」のいずれかに必ず属することとなる。図４に示した場合に比べてチップ指標の種類が増えるが、第２、第３、第４の分類ステップ、判定ステップ、妥当性確認ステップは上記実施例と同様に行なえることは容易に推測できる。
【０２１３】
次に、本発明の半導体装置の製造方法の一実施例を説明する。
まず、複数のチップがＸ軸方向及びＹ軸方向にマトリクス状に配置されたウエハに対してチップの良品と不良品を判定する（ウエハテスト工程）。
そのウエハテスト結果を用い、本発明のチップ品質判定方法により、追加不良チップを検出する（チップ品質判定工程）。
【０２１４】
不良チップ又は追加不良チップと判断されたチップに対応するウエハ位置に印を付ける（マーキング工程）。なお、ウエハテスト結果及びチップ品質判定結果の電子情報を元に次工程の処理を行なうインクレスの手法の場合には、ウエハ位置に印を付ける工程は省略される。
【０２１５】
ウエハからチップを切り出す（チップ切出し工程）。
切り出したチップのうち、良品チップのみをパッケージング（パッケージング工程）する。ここで、ウエハテスト工程で不良チップと判定されたチップ、及び上記チップ品質判定工程で追加不良チップと判定されたチップについてはパッケージングしない。これにより、パッケージングされた半導体装置の信頼性の向上を図ることができる。
【０２１６】
以上、本発明のウエハにおける良品チップ分類方法、それを用いたチップ品質判定方法、ならびにチップ分類プログラム、チップ品質判定プログラム、マーキング機構及び半導体装置の製造方法の実施例を説明したが、本発明はこれらに限定されるものではなく、特許請求の範囲に記載された本発明の範囲内で種々の変更が可能である。
【図面の簡単な説明】
【０２１７】
【図１】ウエハテスト工程の最終的なウエハテスト結果の一例を示す図である。
【図２】チップ品質判定方法の一実施例を説明するためのフローチャートである。
【図３】同実施例で設定した集中不良分布近傍領域を拡大して示す図である。
【図４】同実施例により算出した判定対象チップのチップ指標を示す図である。
【図５】同実施例により算出した追加不良チップを示す図である。
【図６】チップ品質判定方法の他の実施例を説明するためのフローチャートである。
【図７】同実施例により算出した判定対象チップのチップ指標を示す図である。
【図８】同実施例により算出した追加不良チップを示す図である。
【図９】チップ品質判定方法のさらに他の実施例を説明するためのフローチャートである。
【図１０】同実施例により算出した４方向良品グループを示す図である。
【図１１】同実施例により算出した判定対象チップのチップ指標を示す図である。
【図１２】同実施例により算出した追加不良チップを示す図である。
【図１３】チップ品質判定方法のさらに他の実施例を説明するためのフローチャートである。
【図１４】同実施例により算出した８方向良品グループを示す図である。
【図１５】同実施例により算出した判定対象チップのチップ指標を示す図である。
【図１６】同実施例により算出した追加不良チップを示す図である。
【図１７】チップ品質判定方法のさらに他の実施例を説明するためのフローチャートである。
【図１８】同実施例により算出した近傍不良チップ指数を示す図である。
【図１９】同実施例により算出した追加不良チップを示す図である。
【図２０】チップ品質判定方法のさらに他の実施例を説明するためのフローチャートである。
【図２１】同実施例により算出した不良チップまでの距離指数を示す図である。
【図２２】同実施例により算出した追加不良チップを示す図である。
【図２３】チップ品質判定方法のさらに他の実施例を説明するためのフローチャートである。
【図２４】同実施例により算出した、チップ指標「３」のチップ指標グループを示す図である。
【図２５】同実施例により算出した、チップ指標グループ「ａ」に対して判定ステップの判定妥当性を確認するための矩形領域Ｃを示す図である。
【図２６】ウエハテスト工程の最終的なウエハテスト結果の一例を示す図である。
【図２７】同ウエハテスト結果における不良グループ「Ｇ３」，「Ｇ４」，「Ｇ５」の近傍領域を拡大して示す図である。
【図２８】同領域において、不良チップを不良グループ「Ｇ３」，「Ｇ４」，「Ｇ５」に分別した結果を示す図である。
【図２９】不良グループ「Ｇ３」について算出した集中不良分布近傍領域、チップ指数及び追加不良チップを示す図である。
【図３０】品質判定システムの一例を示す概略構成図である。
【図３１】本発明のマーキング機構を含む品質判定システムの一例を示す概略構成図である。
【図３２】本発明の品質判定プログラムを組み込んだアプリケーションソフトの一例を説明するためのフローチャートである。
【図３３】同フローチャートにおける集中不良分布の検出ステップＳ１３を説明するためのフローチャートである。
【図３４】図３２のフローチャートにおけるチップ指標分類ステップＳ１４を説明するためのフローチャートである。
【図３５】図３２のフローチャートにおけるチップ品質判定、チップ品質判定の妥当性確認及び妥当性判定ステップＳ１５を説明するためのフローチャートである。
【図３６】図４と同じ集中不良分布Ａに対する集中不良分布近傍領域の他の例を示す図である。
【図３７】図４と同じ集中不良分布Ａ及び集中不良分布近傍領域Ｂで８方向ついて集中不良分布に属する不良チップが存在する方向の数を算出した結果を示す図である。
【図３８】ウエハテスト工程の最終的なウエハテスト結果の一例を示す図である。
【図３９】図３８のウエハテスト結果に対し、従来の追加インク打ち対象チップの選択方法によって集中不良分布から一定の範囲で追加インク打ち対象チップを選択した一例を示す図である。
【符号の説明】
【０２１８】
１０１  ウエハ
１０３，１０５  不良チップ
１０７，１０９，１１１  良品チップ
Ａ  集中不良分布
Ｂ，Ｄ  集中不良分布近傍領域
Ｃ  判定ステップの判定妥当性を確認するための矩形領域
Ｇ１，Ｇ２，Ｇ３，Ｇ４，Ｇ５  不良グループ
Ｍ  ウエハ周辺チップ
ａ，ｂ，ｃ，ｄ，ｅ  グループ
【図１】
0004931710.tif 000002
【図２】
0004931710.tif 000003
【図６】
0004931710.tif 000004
【図９】
0004931710.tif 000005
【図１３】
0004931710.tif 000006
【図１７】
0004931710.tif 000007
【図２０】
0004931710.tif 000008
【図２３】
0004931710.tif 000009
【図２６】
0004931710.tif 000010
【図３０】
0004931710.tif 000011
【図３１】
0004931710.tif 000012
【図３２】
0004931710.tif 000013
【図３３】
0004931710.tif 000014
【図３４】
0004931710.tif 000015
【図３５】
0004931710.tif 000016
【図３８】
0004931710.tif 000017
【図３】
0004931710.tif 000018
【図４】
0004931710.tif 000019
【図５】
0004931710.tif 000020
【図７】
0004931710.tif 000021
【図８】
0004931710.tif 000022
【図１０】
0004931710.tif 000023
【図１１】
0004931710.tif 000024
【図１２】
0004931710.tif 000025
【図１４】
0004931710.tif 000026
【図１５】
0004931710.tif 000027
【図１６】
0004931710.tif 000028
【図１８】
0004931710.tif 000029
【図１９】
0004931710.tif 000030
【図２１】
0004931710.tif 000031
【図２２】
0004931710.tif 000032
【図２４】
0004931710.tif 000033
【図２５】
0004931710.tif 000034
【図２７】
0004931710.tif 000035
【図２８】
0004931710.tif 000036
【図２９】
0004931710.tif 000037
【図３６】
0004931710.tif 000038
【図３７】
0004931710.tif 000039
【図３９】
0004931710.tif 000040